(57)【要約】ユーザが第１の地理的場所から第２の地理的場所に旅行する予定であることを示す情報を検出し、それに応答して、ユーザが消費するつもりである複数のストリーミングメディアを示すユーザのプロファイルによって示されるプレイリストにアクセスするためのシステムおよび方法が本明細書で説明されている。制御回路は、その後、複数のストリーミングメディアの各ストリーミングメディアに対応するデータをデータベースと比較することにより、複数のストリーミングメディアの各ストリーミングメディアが第２の地理的場所においてユーザにとってアクセス可能であるかどうかを判定し、複数のメディアのサブセットが第２の地理的場所においてユーザにとってアクセス不可能であると判定してもよい。サブセットが第２の地理的場所においてユーザにとってアクセス不可能であると判定したことに応答して、制御回路はサブセットの各メディアをダウンロードしてもよい。
2019531609.tif 000002
【特許請求の範囲】
【請求項１】
方法であって、
ユーザが旅行するつもりである目的地の地理的場所を受信することと、
前記ユーザと関連付けられたプレイリストを受信することであって、前記プレイリストは、１つ以上のメディアアセット識別子を備え、各メディアアセット識別子は、個別のメディアアセットに対応する、ことと、
個別のメディアアセットの各々毎に、（１）前記個別のメディアアセットが前記目的地の地理的場所において消費のためにアクセス不可能であるかどうかと、（２）前記個別のメディアアセットが前記目的地の地理的場所において制限されているかどうかとを自動的に判定することと、
前記判定に基づいて、（１）前記目的地の場所において消費のためにアクセス不可能であり、かつ（２）前記目的地の場所において制限されていない個別のメディアアセットのみを前記ユーザと関連付けられたユーザ機器に自動的にダウンロードすることと
を含む、方法。
【請求項２】
ユーザが旅行するつもりである地理的場所においてアクセス不可能である、プレイリストのストリーミングメディアのコピーを自動的にダウンロードする方法であって、前記方法は、
ユーザが第１の地理的場所から第２の地理的場所に旅行する予定であることを示す情報を検出することと、
前記検出に応答して、前記ユーザが消費するつもりである複数のストリーミングメディアを示す前記ユーザのプロファイルによって示されるプレイリストにアクセスすることと、
前記複数のストリーミングメディアの各ストリーミングメディアに対応するデータをデータベースのエントリと比較することにより、前記複数のストリーミングメディアの各ストリーミングメディアが前記第２の地理的場所において前記ユーザにとってアクセス可能であるかどうかを判定することと、
前記比較に基づいて、前記複数のメディアのサブセットが前記第２の地理的場所において前記ユーザにとってアクセス不可能であると判定することと、
前記サブセットが前記第２の地理的場所において前記ユーザにとってアクセス不可能であると判定したことに応答して、前記サブセットの各メディアをダウンロードすることと
を含む、方法。
【請求項３】
前記ユーザが前記第１の地理的場所から前記第２の地理的場所に旅行する予定であることを示す情報を判定することは、
前記ユーザに宛てられた電子通信を受信することと、
前記電子通信のコンテンツが旅行に言及していると判定することと、
前記プロファイルに基づいて、前記第１のユーザの自宅住所を識別することと、
前記電子通信のコンテンツを解析することにより前記自宅住所以外の住所を識別することと、
前記自宅住所以外の住所を識別したことに応答して前記第２の地理的場所を前記自宅住所以外の住所であると判定することと
を含む、請求項２に記載の方法。
【請求項４】
前記複数のストリーミングメディアは、ストリーミングメディアプロバイダと関連付けられ、前記データベースは、前記ストリーミングメディアプロバイダに対する地理的コンテンツ制限を示し、前記複数のメディアのサブセットが前記第２の地理的場所において前記ユーザにとってアクセス不可能であると判定することは、前記サブセットのメディアが前記第２の地理的場所において制限されているとして前記データベース内で示されていることを識別することを含む、請求項２に記載の方法。
【請求項５】
前記複数のストリーミングメディアは、ストリーミングメディアプロバイダと関連付けられ、前記データベースは、前記ストリーミングメディアプロバイダから所与の地理的場所において利用可能であるコンテンツを示し、前記複数のメディアの前記サブセットが前記第２の地理的場所において前記ユーザにとってアクセス不可能であると判定することは、前記サブセットのメディアが前記第２の地理的場所において利用不可能として前記データベース内で示されていることを識別することを含む、請求項２に記載の方法。
【請求項６】
前記サブセットの各メディアをダウンロードすることは、
前記ユーザが所有する前記ユーザと共に移動する複数のユーザ機器のうちの最も適切なユーザ機器を識別することと、
前記サブセットの各メディアを前記最も適切なユーザ機器にダウンロードすることと
を含む、請求項２に記載の方法。
【請求項７】
前記サブセットの各メディアをダウンロードすることは、
設定に基づいて、前記サブセットの各メディアをダウンロードするために、前記ユーザが所有する複数のユーザ機器のうちの１つのユーザ機器を判定することと、
前記サブセットの各メディアを前記ユーザ機器にダウンロードすることと
を含む、請求項２に記載の方法。
【請求項８】
前記ユーザ機器は、前記サブセットの各メディアを記憶するのに十分な容量を有しておらず、前記方法は、前記プロファイルに示される好みに基づいて、記憶するための前記サブセットの部分を自動的に選択することをさらに含む、請求項７に記載の方法。
【請求項９】
前記ユーザ機器は、前記サブセットの各メディアを記憶するのに十分な容量を有しておらず、前記方法は、
前記ユーザ機器が前記サブセットの各メディアを記憶するのに十分な容量を有していないことを示す前記ユーザへのアラートを表示のために生成することと、
記憶するための前記サブセットの部分の選択を前記ユーザから受信することと、
前記選択を受信したことに応答して前記サブセットの部分をダウンロードすることと
をさらに含む、請求項７に記載の方法。
【請求項１０】
前記方法は、前記サブセットが前記第２の地理的場所において前記ユーザにとってアクセス不可能であると判定したことに応答して、
前記複数のストリーミングメディアの各ストリーミングメディアに対応する個別のダウンロード可能ファイルがダウンロードするために利用可能である個別の場所を識別し、
前記ダウンロード可能ファイルが金銭の支払を伴わずに利用可能である場合、前記個別のダウンロード可能ファイルを自動的にダウンロードする
ことをさらに含む、請求項２に記載の方法。
【請求項１１】
個別のダウンロード可能ファイルが購入を要求するかどうかを判定することと、
前記個別のダウンロード可能ファイルが購入を要求すると判定したことに応答して、前記ユーザが前記個別のダウンロード可能ファイルの購入を認可するかどうかに関して前記ユーザに指示を求めることと
をさらに含む、請求項１０に記載の方法。
【請求項１２】
ユーザが旅行するつもりである地理的場所においてアクセス不可能である、プレイリストのストリーミングメディアのコピーを自動的にダウンロードするシステムであって、前記システムは、
記憶回路と、
通信回路と、
制御回路であって、
ユーザが第１の地理的場所から第２の地理的場所に旅行する予定であることを示す情報を検出し、
前記検出に応答して、前記ユーザが消費するつもりである複数のストリーミングメディアを示す前記ユーザのプロファイルによって示されるプレイリストに前記通信回路を使用してアクセスし、
前記複数のストリーミングメディアの各ストリーミングメディアに対応するデータをデータベースのエントリと比較することにより、前記複数のストリーミングメディアの各ストリーミングメディアが前記第２の地理的場所において前記ユーザにとってアクセス可能であるかどうかを判定し、
前記複数のメディアのサブセットが前記第２の地理的場所において前記ユーザにとってアクセス不可能であると判定し、
前記サブセットが前記第２の地理的場所において前記ユーザにとってアクセス不可能であると判定したことに応答して、前記通信回路を使用して前記サブセットの各メディアを前記記憶回路にダウンロードする
ように構成された制御回路と
を備える、システム。
【請求項１３】
前記制御回路は、前記ユーザが前記第１の地理的場所から前記第２の地理的場所に旅行する予定であることを示す情報を判定するとき、
前記ユーザに宛てられた電子通信を受信し、
前記電子通信のコンテンツが旅行に言及していると判定し、
前記プロファイルに基づいて前記第１のユーザの自宅住所を識別し、
前記電子通信のコンテンツを解析することにより前記自宅住所以外の住所を識別し、
前記自宅住所以外の住所を識別したことに応答して前記第２の地理的場所を前記自宅住所以外の住所であると判定する
ようにさらに構成される、請求項１２に記載のシステム。
【請求項１４】
前記複数のストリーミングメディアは、ストリーミングメディアプロバイダと関連付けられ、前記データベースは、前記ストリーミングメディアプロバイダに対する地理的コンテンツ制限を示し、前記制御回路は、前記複数のメディアのサブセットが前記第２の地理的場所において前記ユーザにとってアクセス不可能であると判定するとき、前記サブセットのメディアが前記第２の地理的場所において制限されているとして前記データベース内で示されていることを識別するようにさらに構成されている、請求項１２に記載のシステム。
【請求項１５】
前記複数のストリーミングメディアは、ストリーミングメディアプロバイダと関連付けられ、前記データベースは、前記ストリーミングメディアプロバイダから所与の地理的場所において利用可能なコンテンツを示し、前記制御回路は、前記複数のメディアのサブセットが前記第２の地理的場所において前記ユーザにとってアクセス不可能であると判定するとき、前記サブセットのメディアが前記第２の地理的場所において利用不可能として前記データベース内で示されていることを識別するようにさらに構成されている、請求項１２に記載のシステム。
【請求項１６】
前記制御回路は、前記サブセットの各メディアをダウンロードするとき、
前記ユーザが所有する前記ユーザと共に移動する複数のユーザ機器の最も好適なユーザ機器を識別し、
前記サブセットの各メディアを前記最も好適なユーザ機器にダウンロードする
ようにさらに構成されている、請求項１２に記載のシステム。
【請求項１７】
前記制御回路は、前記サブセットの各メディアをダウンロードするとき、
設定に基づいて、前記サブセットの各メディアをダウンロードするために、前記ユーザが所有する複数のユーザ機器のうちの１つのユーザ機器を判定し、
前記サブセットの各メディアを前記ユーザ機器にダウンロードする
ようにさらに構成されている、請求項１２に記載のシステム。
【請求項１８】
前記ユーザ機器は、前記サブセットの各メディアを記憶するのに十分な容量を有しておらず、前記制御回路は、前記プロファイルに示される好みに基づいて、記憶するための前記サブセットの部分を自動的に選択するようにさらに構成されている、請求項１７に記載のシステム。
【請求項１９】
前記ユーザ機器は、前記サブセットの各メディアを記憶するのに十分な容量を有しておらず、前記制御回路は、
前記ユーザ機器が前記サブセットの各メディアを記憶するのに十分な容量を有していないことを示す前記ユーザへのアラートを表示のために生成し、
記憶するための前記サブセットの部分の選択を前記ユーザから受信し、
前記選択を受信したことに応答して前記サブセットの部分をダウンロードする
ようにさらに構成されている、請求項１７に記載のシステム。
【請求項２０】
前記制御回路は、前記サブセットが前記第２の地理的場所において前記ユーザにとってアクセス不可能であると判定したことに応答して、
前記複数のストリーミングメディアの各ストリーミングメディアに対応する個別のダウンロード可能ファイルがダウンロードするために利用可能である個別の場所を識別し、
前記ダウンロード可能ファイルが金銭の支払を伴わずに利用可能である場合、前記個別のダウンロード可能ファイルを自動的にダウンロードする
ようにさらに構成されている、請求項１２に記載のシステム。
【請求項２１】
前記制御回路は、
個別のダウンロード可能ファイルが購入を要求するかどうかを判定し、
前記個別のダウンロード可能ファイルが購入を要求すると判定したことに応答して、前記ユーザが前記個別のダウンロード可能ファイルの購入を認可するかどうかに関して前記ユーザに指示を求めるようにさらに構成されている、請求項２０に記載のシステム。
【請求項２２】
ユーザが旅行するつもりである地理的場所においてアクセス不可能である、プレイリストのストリーミングメディアのコピーを自動的にダウンロードするシステムであって、前記システムは、
ユーザが第１の地理的場所から第２の地理的場所に旅行する予定であることを示す情報を検出する手段と、
前記検出に応答して、前記ユーザが消費するつもりである複数のストリーミングメディアを示す前記ユーザのプロファイルによって示されるプレイリストにアクセスする手段と、
前記複数のストリーミングメディアの各ストリーミングメディアに対応するデータをデータベースのエントリと比較することにより、前記複数のストリーミングメディアの各ストリーミングメディアが前記ユーザにとって前記第２の地理的場所においてアクセス可能であるかどうかを判定する手段と、
前記複数のメディアのサブセットが前記第２の地理的場所において前記ユーザにとってアクセス不可能であると判定する手段と、
前記サブセットが前記第２の地理的場所において前記ユーザにとってアクセス不可能であると判定したことに応答して、前記サブセットの各メディアをダウンロードする手段と
を備える、システム。
【請求項２３】
前記ユーザが前記第１の地理的場所から前記第２の地理的場所に旅行する予定であることを示す情報を判定する手段は、
前記ユーザに宛てられた電子通信を受信する手段と、
前記電子通信のコンテンツが旅行に言及していると判定する手段と、
前記プロファイルに基づいて前記第１のユーザの自宅住所を識別する手段と、
前記電子通信のコンテンツを解析することにより、前記自宅住所以外の住所を識別する手段と、
前記自宅住所以外の住所を識別したことに応答して前記第２の地理的場所を前記自宅住所以外の住所であると判定する手段と
を備える、請求項２２に記載のシステム。
【請求項２４】
前記複数のストリーミングメディアは、ストリーミングメディアプロバイダと関連付けられ、前記データベースは、前記ストリーミングメディアプロバイダに対する地理的コンテンツ制限を示し、前記複数のメディアのサブセットが前記第２の地理的場所において前記ユーザにとってアクセス不可能であると判定する手段は、前記サブセットのメディアが前記第２の地理的場所において制限されているとして前記データベース内で示されていることを識別する手段を備える、請求項２２に記載のシステム。
【請求項２５】
前記複数のストリーミングメディアは、ストリーミングメディアプロバイダと関連付けられ、前記データベースは、前記ストリーミングメディアプロバイダから所与の地理的場所において利用可能なコンテンツを示し、前記複数のメディアのサブセットが前記第２の地理的場所において前記ユーザにとってアクセス不可能であると判定する手段は、前記サブセットのメディアが前記第２の地理的場所において利用不可能として前記データベース内で示されることを識別する手段を備える、請求項２２に記載のシステム。
【請求項２６】
前記サブセットの各メディアをダウンロードするための手段は、
前記ユーザが所有する前記ユーザと共に移動する複数のユーザ機器のうちの最も適切なユーザ機器を識別する手段と、
前記サブセットの各メディアを前記最も適切なユーザ機器にダウンロードする手段と
を備える、請求項２２に記載のシステム。
【請求項２７】
前記サブセットの各メディアをダウンロードする手段は、
設定に基づいて、前記サブセットの各メディアをダウンロードするために、前記ユーザが所有する複数のユーザ機器のうちの１つのユーザ機器を判定する手段と、
前記サブセットの各メディアを前記ユーザ機器にダウンロードする手段と
を備える、請求項２２に記載のシステム。
【請求項２８】
前記ユーザ機器は、前記サブセットの各メディアを記憶するのに十分な容量を有しておらず、前記システムは、前記プロファイルに示される好みに基づいて、記憶するための前記サブセットの部分を自動的に選択する手段をさらに備える、請求項２７に記載のシステム。
【請求項２９】
前記ユーザ機器は、前記サブセットの各メディアを記憶するのに十分な容量を有しておらず、前記システムはさらに、
前記ユーザ機器が前記サブセットの各メディアを記憶するのに十分な容量を有していないことを示す前記ユーザへのアラートを表示のために生成する手段と、
記憶するための前記サブセットの部分の選択を前記ユーザから受信する手段と、
前記選択を受信したことに応答して前記サブセットの部分をダウンロードする手段と
を備える、請求項２７に記載のシステム。
【請求項３０】
前記システムは、
前記サブセットが前記第２の地理的場所において前記ユーザにとってアクセス不可能であると判定したことに応答して、
前記複数のストリーミングメディアの各ストリーミングメディアに対応する個別のダウンロード可能ファイルが、ダウンロードするために利用可能である個別の場所を識別し、
前記ダウンロード可能ファイルが金銭の支払を伴わずに利用可能である場合、前記個別のダウンロード可能ファイルを自動的にダウンロードする
手段をさらに備える、請求項２２に記載のシステム。
【請求項３１】
個別のダウンロード可能ファイルが購入を要求するかどうかを判定する手段と、
前記個別のダウンロード可能ファイルが購入を要求すると判定したことに応答して、前記ユーザが前記個別のダウンロード可能ファイルの購入を認可するかどうかに関して前記ユーザに指示を求める手段と
をさらに備える、請求項３０に記載のシステム。
【請求項３２】
ユーザが旅行することを意図する地理的場所においてアクセス不可能である、プレイリストのストリーミングメディアのコピーを自動的にダウンロードする方法であって、
ユーザが第１の地理的場所から第２の地理的場所に旅行する予定であることを示す情報を制御回路を使用して検出することと、
前記検出に応答して、前記ユーザが消費するつもりである複数のストリーミングメディアを示す前記ユーザのプロファイルによって示されるプレイリストにアクセスすることと、
前記複数のストリーミングメディアの各ストリーミングメディアに対応するデータをデータベースと比較することにより、前記複数のストリーミングメディアの各ストリーミングメディアが前記ユーザにとって前記第２の地理的場所においてアクセス可能であるかどうかを判定することと、
前記複数のメディアのサブセットが前記第２の地理的場所において前記ユーザにとってアクセス不可能であると判定することと、
前記サブセットが前記第２の地理的場所において前記ユーザにとってアクセス不可能であると判定したことに応答して、前記サブセットの各メディアをダウンロードすることと、
を含む、方法。
【請求項３３】
前記ユーザが前記第１の地理的場所から前記第２の地理的場所に旅行する予定であることを示す情報を判定することは、
前記ユーザに宛てられた電子通信を受信することと、
前記電子通信のコンテンツが旅行に言及していると判定することと、
前記プロファイルに基づいて前記第１のユーザの自宅住所を識別することと、
前記電子通信のコンテンツを解析することにより、前記自宅住所以外の住所を識別することと、
前記自宅住所以外の住所を識別したことに応答して前記第２の地理的場所を前記自宅住所以外の住所であると判定することと
を含む、請求項３２に記載の方法。
【請求項３４】
前記複数のストリーミングメディアは、ストリーミングメディアプロバイダと関連付けられ、前記データベースは、前記ストリーミングメディアプロバイダに対する地理的コンテンツ制限を示し、前記複数のメディアのサブセットが前記第２の地理的場所において前記ユーザにとってアクセス不可能であると判定することは、前記サブセットのメディアが前記第２の地理的場所において制限されているとして前記データベース内で示されていることを識別することを含む、請求項３２または３３のいずれかに記載の方法。
【請求項３５】
前記複数のストリーミングメディアは、ストリーミングメディアプロバイダと関連付けられ、前記データベースは、前記ストリーミングメディアプロバイダから所与の地理的場所において利用可能なコンテンツを示し、前記複数のメディアのサブセットが前記第２の地理的場所において前記ユーザにとってアクセス不可能であると判定することは、前記サブセットのメディアが前記第２の地理的場所において利用不可能として前記データベース内で示されていることを識別することを含む、請求項３１〜３３のいずれかに記載の方法。
【請求項３６】
前記サブセットの各メディアをダウンロードすることは、
前記ユーザが所有する前記ユーザと共に移動する複数のユーザ機器のうちの最も適切なユーザ機器を識別することと、
前記サブセットの各メディアを前記最も適切なユーザ機器にダウンロードすることと
を含む、請求項３２〜３５のいずれかに記載の方法。
【請求項３７】
前記サブセットの各メディアをダウンロードすることは、
設定に基づいて、前記サブセットの各メディアをダウンロードするために、前記ユーザが所有する複数のユーザ機器のうちの１つのユーザ機器を判定することと、
前記サブセットの各メディアを前記ユーザ機器にダウンロードすることと
を含む、請求項３２〜３６のいずれかに記載の方法。
【請求項３８】
前記ユーザ機器は、前記サブセットの各メディアを記憶するのに十分な容量を有しておらず、前記方法は、前記プロファイルに示される好みに基づいて、記憶するための前記サブセットの部分を自動的に選択することをさらに含む、請求項３７に記載の方法。
【請求項３９】
前記ユーザ機器は、前記サブセットの各メディアを記憶するのに十分な容量を有しておらず、前記方法は、
前記ユーザ機器が前記サブセットの各メディアを記憶するのに十分な容量を有していないことを示す前記ユーザへのアラートを表示のために生成することと、
記憶するための前記サブセットの部分の選択を前記ユーザから受信することと、
前記選択を受信したことに応答して前記サブセットの部分をダウンロードすることと
を含む、請求項３７に記載の方法。
【請求項４０】
前記方法は、前記サブセットが前記第２の地理的場所において前記ユーザにとってアクセス不可能であると判定したことにさらに応答して、
前記複数のストリーミングメディアの各ストリーミングメディアに対応する個別のダウンロード可能ファイルがダウンロードするために利用可能である個別の場所を識別し、
前記ダウンロード可能ファイルが金銭の支払を伴わずに利用可能である場合、前記個別のダウンロード可能ファイルを自動的にダウンロードする
ことをさらに含む、請求項３２〜３９のいずれかに記載の方法。
【請求項４１】
個別のダウンロード可能ファイルが購入を要求するかどうかを判定することと、
前記個別のダウンロード可能ファイルが購入を要求すると判定したことに応答して、前記ユーザが前記個別のダウンロード可能ファイルの購入を認可するかどうかに関して前記ユーザに指示を求めることと
をさらに含む、請求項４０に記載の方法。
【請求項４２】
メモリを備えた非一過性機械可読媒体であって、前記メモリには、ユーザが旅行するつもりである地理的場所においてアクセス不可能である、プレイリストのストリーミングメディアのコピーを自動的にダウンロードするための命令がエンコードされており、前記命令は、
ユーザが第１の地理的場所から第２の地理的場所に旅行する予定であることを示す情報を検出するための命令と、
前記検出に応答して、前記ユーザが消費するつもりである複数のストリーミングメディアを示す前記ユーザのプロファイルによって示される、プレイリストにアクセスするための命令と、
前記複数のストリーミングメディアの各ストリーミングメディアに対応するデータをデータベースと比較することにより、前記複数のストリーミングメディアの各ストリーミングメディアが前記ユーザにとって前記第２の地理的場所においてアクセス可能であるかどうかを判定するための命令と、
前記複数のメディアのサブセットが前記第２の地理的場所において前記ユーザにとってアクセス不可能であると判定するための命令と、
前記サブセットが前記第２の地理的場所において前記ユーザにとってアクセス不可能であると判定したことに応答して、前記サブセットの各メディアをダウンロードするための命令と
を備える、非一過性機械可読媒体。
【請求項４３】
前記ユーザが前記第１の地理的場所から前記第２の地理的場所に旅行する予定であることを示す情報を判定するための命令は、
前記ユーザに宛てられた電子通信を受信するための命令と、
前記電子通信のコンテンツが旅行に言及していると判定するための命令と、
前記プロファイルに基づいて前記第１のユーザの自宅住所を識別するための命令と、
前記電子通信のコンテンツを解析することにより、前記自宅住所以外の住所を識別するための命令と、
前記自宅住所以外の住所を識別したことに応答して前記第２の地理的場所を前記自宅住所以外の住所であると判定するための命令と
を備える、請求項４２に記載の非一過性機械可読媒体。
【請求項４４】
前記複数のストリーミングメディアは、ストリーミングメディアプロバイダと関連付けられ、前記データベースは、前記ストリーミングメディアプロバイダに対する地理的コンテンツ制限を示し、前記複数のメディアのサブセットが前記第２の地理的場所において前記ユーザにとってアクセス不可能であると判定するための命令は、前記サブセットのメディアが前記第２の地理的場所において制限されているとして前記データベース内で示されることを識別するための命令を備える、請求項４２に記載の非一過性機械可読媒体。
【請求項４５】
前記複数のストリーミングメディアは、ストリーミングメディアプロバイダと関連付けられ、前記データベースは、前記ストリーミングメディアプロバイダから所与の地理的場所において利用可能なコンテンツを示し、前記複数のメディアのサブセットが前記第２の地理的場所において前記ユーザにとってアクセス不可能であると判定するための命令は、前記サブセットのメディアが前記第２の地理的場所において利用不可能として前記データベース内で示されていることを識別するための命令を備える、請求項４２に記載の非一過性機械可読媒体。
【請求項４６】
前記サブセットの各メディアをダウンロードするための命令は、
前記ユーザが所有する前記ユーザと共に移動する複数のユーザ機器のうちの最も適切なユーザ機器を識別するための命令と、
前記サブセットの各メディアを前記最も適切なユーザ機器にダウンロードするための命令と
を備える、請求項４２に記載の非一過性機械可読媒体。
【請求項４７】
前記サブセットの各メディアをダウンロードするための命令は、
設定に基づいて、前記サブセットの各メディアをダウンロードするために前記ユーザが所有する複数のユーザ機器のうちの１つのユーザ機器を判定するための命令と、
前記サブセットの各メディアを前記ユーザ機器にダウンロードするための命令と
を備える、請求項４２に記載の非一過性機械可読媒体。
【請求項４８】
前記ユーザ機器は、前記サブセットの各メディアを記憶するのに十分な容量を有しておらず、前記命令は、前記プロファイルに示される好みに基づいて、記憶するための前記サブセットの部分を自動的に選択するための命令をさらに備える、請求項４７に記載の非一過性機械可読媒体。
【請求項４９】
前記ユーザ機器は、前記サブセットの各メディアを記憶するのに十分な容量を有しておらず、前記命令は、
前記ユーザ機器が前記サブセットの各メディアを記憶するのに十分な容量を有していないことを示す前記ユーザへのアラートを表示のために生成するための命令と、
記憶するための前記サブセットの部分の選択を前記ユーザから受信するための命令と、
前記選択を受信したことに応答して前記サブセットの部分をダウンロードするための命令と
をさらに備える、請求項４７に記載の非一過性機械可読媒体。
【請求項５０】
前記命令は、前記サブセットが前記第２の地理的場所において前記ユーザにとってアクセス不可能であると判定したことに応答して、
前記複数のストリーミングメディアの各ストリーミングメディアに対応する個別のダウンロード可能ファイルがダウンロードするために利用可能な個別の場所を識別し、
前記ダウンロード可能ファイルが金銭の支払を伴わずに利用可能である場合、前記個別のダウンロード可能ファイルを自動的にダウンロードする
ための命令をさらに備える、請求項４２に記載の非一過性機械可読媒体。
【請求項５１】
前記命令は、
個別のダウンロード可能ファイルが購入を要求するかどうかを判定するための命令と、
前記個別のダウンロード可能ファイルが購入を要求すると判定したことに応答して、前記ユーザが前記個別のダウンロード可能ファイルの購入を認可するかどうかに関して前記ユーザに指示を求めるための命令と
をさらに備える、請求項５０に記載の非一過性機械可読媒体。
【発明の詳細な説明】
【背景技術】
【０００１】
関連技術では、ユーザは、ユーザが異なる国に旅行する予定であることを電子番組ガイド（「ＥＰＧ」）に入力することができる。ユーザは、その自宅場所に対応する放送スケジュール情報をリストアップしたＥＰＧ画面を閲覧することができ、異なる国に対応する放送スケジュール情報をリストアップした異なるＥＰＧ画面を閲覧することができ、その目的地において利用不可能である番組を録画したいかどうかに関して決定することができる。しかしながら、関連技術は、ユーザが放送番組ガイドからコンテンツの利用可能性を識別することを可能にすることに限定され、放送番組ガイド以外のどのようなソースからのコンテンツの利用可能性についてのどのような情報も予期していない。さらに、関連技術は、ユーザとＥＰＧとの間での情報のやりとりは手動に限定され、多くの労力を要する。
【発明の概要】
【課題を解決するための手段】
【０００２】
ストリーミングメディアに関する地理的コンテンツ制限にかかわらず、プレイリストのストリーミングメディアに対するアクセスを確実にするシステムおよび方法が本明細書において提供される。本明細書で説明されているシステムおよび方法は、ユーザが異なる地理的場所に旅行する予定であることを（例えば、ユーザの電子メールまたはカレンダを解析して旅行日程を知ることによって）検出し、ユーザが見ているストリーミングメディアが異なる地理的場所において（例えば、地理ベースのコンテンツ制限に起因して）利用不可能であることを自動的に判定してもよい。本明細書で説明されているシステムおよび方法は、ユーザがコンテンツを携行し、ユーザがその目的地に到着したときにメディアにアクセスする能力を使わないで済ませることができるように、ストリーミングメディアのダウンロード可能バージョンを特定し、それをユーザ機器にダウンロードすることによって、ユーザが所望のストリーミングメディアにアクセスすることが可能であることを確実にするものでもよい。
【０００３】
これらの目的および他の目的を達成するために、本開示のいくつかの側面では、メディアガイダンスアプリケーションは、ユーザが第１の地理的場所から第２の地理的場所に旅行する予定であることを示す情報を検出してもよい。例えば、メディアガイダンスアプリケーションは、ユーザが米国のニューヨークからイタリアのミラノに飛行機で行く予定であることを示すユーザのカレンダ内のエントリを特定してもよい。
【０００４】
いくつかの実施形態では、検出（例えば、ユーザがミラノへ旅行することの検出）に応答して、メディアガイダンスアプリケーションは、ユーザが好むまたは消費するかもしれない複数のストリーミングメディアを示すユーザのプロファイルによって示されるプレイリストにアクセスし、複数のストリーミングメディアの各ストリーミングメディアに対応するデータを１つ以上のデータベースのエントリと比較することにより、複数のストリーミングメディアの各ストリーミングメディアがユーザにとって第２の地理的場所においてアクセス可能であるかどうかを判定してもよい。例えば、ユーザは、メディアストリーミングサービス（例えば、音楽ストリーミングのためのスポティファイ（Ｓｐｏｔｉｆｙ）、ビデオストリーミングのためのネットフリックス（Ｎｅｔｆｌｉｘ））、またはユーザが他のメディアストリーミングサービスからストリーミングメディアにアクセスすることができる集約サービスに加入していてもよい。ユーザは、先を見越して、今後消費したいメディアのリストを維持してもよいし、またはプロファイルは、ユーザが今後消費したくなる可能性が高いメディアを示してもよい。これらのリストまたはユーザのプロファイルに基づいて、メディアガイダンスアプリケーションは、例えば、メディアに対応するタイトルを目的地における利用可能なタイトルと比較することによって、ユーザは特定の番組を楽しんでいるが、ユーザの旅行のせいで、それをストリーミング配信することが不可能となるおそれがあると判定してもよい。
【０００５】
いくつかの実施形態では、メディアガイダンスアプリケーションは、複数のメディアのサブセットは第２の地理的場所においてユーザにとってアクセス不可能であると判定してもよい。例えば、ユーザは、ニューヨークではストリーミングで利用可能な１０のビデオアセットを楽しんでいるが、ミラノではそのうちの２つが利用不可能である場合、メディアガイダンスアプリケーションは、ミラノにおいて利用不可能である２つが第２の地理的場所においてユーザにとってアクセス不可能であるメディアのサブセットを形成すると判定してもよい。サブセットが第２の地理的場所においてユーザにとってアクセス不可能であると判定したことに応答して、メディアガイダンスアプリケーションは、サブセットの各メディアをダウンロードしてもよい。例えば、メディアガイダンスアプリケーションは、アップルのｉＴｕｎｅｓショップ等のインターネットビデオショップからの２つのビデオアセットのダウンロード可能バージョンを特定し、ダウンロード可能バージョンをユーザが所有するデバイスにダウンロードしてもよい。このように、ミラノにおけるストリーミング配信制限はユーザがダウンロードされたビデオにアクセスすることを妨げるおそれはないので、ユーザは、ダウンロードされたビデオをミラノに携行し、中断なく、ダウンロードされたビデオを消費してもよい。
【０００６】
いくつかの実施形態では、メディアガイダンスアプリケーションが、ユーザが第１の地理的場所から第２の地理的場所に旅行する予定であることを示す情報を判定するとき、メディアガイダンスアプリケーションは、旅程を含む航空会社からの電子メール等の、ユーザに宛てられた電子通信を受信してもよい。メディアガイダンスアプリケーションは、電子通信のコンテンツが旅行について言及していることを判定してもよい（例えば、これは、電子通信が航空会社からのものであるからであり、または電子通信が目的地および旅行日を示すものであるからである）。メディアガイダンスアプリケーションは、次いで、（例えば、ユーザがほとんどの場合ストリーミングコンテンツにアクセス可能である場所を習得するために）プロファイルに基づいて第１のユーザの自宅住所を識別し、電子通信のコンテンツを解析することにより、自宅住所以外の住所（例えば、イタリアのミラノの目的地）を識別してもよい。自宅住所以外の住所を識別したことに応答して、メディアガイダンスアプリケーションは、第２の地理的場所が自宅住所以外の住所であると判定してもよい（例えば、イタリアのミラノにおけるコンテンツ制限をチェックできるようにしてもよい）。
【０００７】
いくつかの実施形態では、複数のストリーミングメディアは、ストリーミングメディアプロバイダ（例えば、ストリーミングビデオを提供するネットフリックス、またはストリーミング音楽を提供するスポティファイ）と関連付けられている。さらに、データベースは、ストリーミングメディアプロバイダに対する地理的コンテンツ制限、例えば、メディアとメディアが利用不可能である種々の国および場所との間の関連付け等を示してもよい。メディアガイダンスアプリケーションは、複数のメディアのサブセットが第２の地理的場所においてユーザにとってアクセス不可能であると判定するとき、サブセットのメディアが第２の地理的場所において制限されているとしてデータベース内で示されていることを識別してもよい。
【０００８】
いくつかの実施形態では、データベース（例えば、参照データベース）または複数のデータベースは、ストリーミングメディアプロバイダから所与の地理的場所において利用可能なコンテンツを示してもよい。そのような実施形態では、メディアガイダンスアプリケーションは、サブセットのメディアが第２の地理的場所において利用不可能としてデータベース内で示されていることを識別することによって、複数のメディアのサブセットが第２の地理的場所においてユーザにとってアクセス不可能であると判定してもよい。
【０００９】
いくつかの実施形態では、メディアガイダンスアプリケーションは、サブセットの各メディアをダウンロードするとき、その前に、ユーザと共に移動するためにユーザが所有している複数のユーザ機器のうちの最も好適なユーザ機器を識別してもよい。大画面および長バッテリ寿命を有するポータブルユーザ機器、例えば、タブレット等は、ユーザによって所有される場合には選択されてもよい。メディアガイダンスアプリケーションは、次にサブセットの各メディアを最も好適なユーザ機器にダウンロードしてもよい。
【００１０】
いくつかの実施形態では、メディアガイダンスアプリケーションは、サブセットの各メディアをダウンロードするとき、その前に、サブセットの各メディアをダウンロードするために、ユーザが所有している複数のユーザ機器のうちの１つのユーザ機器を設定に基づいて判定してもよい。例えば、ユーザは、メディアがダウンロードされるべきユーザ機器として、共に旅行することを好むユーザ機器を指定していてもよい。メディアガイダンスアプリケーションは、次に、サブセットの各メディアをそのユーザ機器にダウンロードしてもよい。
【００１１】
いくつかの実施形態では、ユーザ機器は、（例えば、ハードドライブ限界、例えば、タブレットコンピュータの限定されたハードドライブ空間等に起因して）サブセットの各メディアを記憶するのに十分な容量を有していないおそれがある。メディアガイダンスアプリケーションは、本事例では、プロファイルに示される好みに基づいて、記憶するためのサブセットの部分を自動的に選択してもよい。例えば、ユーザがアクション映画を好む場合、限定された記憶空間は、他のメディアの代わりにアクション映画をダウンロードするために使用されてもよい。
【００１２】
いくつかの実施形態では、ユーザ機器が、サブセットの各メディアを記憶するのに十分な容量を有していないとき、メディアガイダンスアプリケーションは、ユーザ機器がサブセットの各メディアを記憶するのに十分な容量を有していないことを示すユーザへのアラートを表示のために生成してもよく、記憶するためのサブセット（例えば、ユーザが好む特定のメディア）の部分の選択をユーザから受信してもよい。選択を受信したことに応答して、メディアガイダンスアプリケーションは、そのサブセットの部分をダウンロードしてもよい。
【００１３】
いくつかの実施形態では、メディアガイダンスアプリケーションは、サブセットが第２の地理的場所においてユーザにとってアクセス不可能であると判定したことに応答して、複数のストリーミングメディアの各ストリーミングメディアに対応する個別のダウンロード可能ファイルが、ダウンロードするために利用可能である個別の場所を識別することに進んでもよい。例えば、メディアガイダンスアプリケーションは、いくつかのストリーミングメディアがアップルのｉＴｕｎｅｓストア等の特定のオンラインストアから利用可能であると判定してもよい。メディアガイダンスアプリケーションは、ダウンロード可能ファイルが金銭の支払を伴わずに利用可能である場合、個別のダウンロード可能ファイルを自動的にダウンロードしてもよい。しかしながら、個別のダウンロード可能ファイルが購入を要求する場合、メディアガイダンスアプリケーションは、ユーザが個別のダウンロード可能ファイルの購入を認可するかどうかに関してユーザに指示を求めてもよい。
【００１４】
いくつかの実施形態では、メディアガイダンスアプリケーションは、ユーザが旅行するつもりである目的地の地理的場所を（例えば、電子通信により）受信してもよい。メディアガイダンスアプリケーションは、ユーザが消費するつもりであるメディアコンテンツが目的地の地理的場所において消費のためにアクセス不可能であるかどうかを自動的に判定し、メディアコンテンツが目的地の地理的場所において消費のためにアクセス不可能であると判定したことに応答して、メディアコンテンツを自宅場所でユーザ機器に自動的にダウンロードしてもよい。
【００１５】
いくつかの実施形態では、メディアガイダンスアプリケーションは、ユーザが旅行するつもりである目的地の地理的場所を受信し、ユーザの自宅場所で消費のためにアクセス可能な複数のメディアアセットを識別してもよく、これは、ユーザが複数のメディアアセットのそれぞれを目的地場所において消費することを所望する可能性が高い場合に行われてもよい。複数のメディアアセットは、例えば、プレイリストであってもよい。
【００１６】
メディアガイダンスアプリケーションは、次に、複数のメディアアセットの個別のメディアアセットの各々毎に、個別のメディアアセットが目的地の地理的場所において消費のためにアクセス不可能であるかどうかを自動的に判定し、目的地の地理的場所において消費のためにアクセス不可能である各個別のメディアアセットをサブセットに追加してもよい。最後に、メディアガイダンスアプリケーションは、ある機能をサブセットに対して発揮させてもよく、機能は、（１）サブセットの各メディアアセットを自宅場所でユーザ機器に自動的にダウンロードすることと、（２）サブセットのメディアアセット以外の複数のメディアアセットの各メディアアセットを自宅場所でユーザ機器に自動的にダウンロードすることとのうちの少なくとも１つを備える。
【００１７】
いくつかの実施形態では、メディアガイダンスアプリケーションは、ユーザが旅行するつもりである目的地の地理的場所を受信し、ユーザと関連付けられたプレイリストを受信してもよく、プレイリストは、１つ以上のメディアアセット識別子を備え、各メディアアセット識別子は、個別のメディアアセットに対応する。メディアガイダンスアプリケーションは、個別のメディアアセットの各々毎に、（１）個別のメディアアセットが目的地の地理的場所において（例えば、ライセンス制限に起因して）消費のためにアクセス不可能であるかどうかと、（２）個別のメディアアセットが目的地の地理的場所において（例えば、その国においてコンテンツが違法であることに起因して）制限されているかどうかとを自動的に判定し、次に、判定に基づいて、（１）目的地場所において消費のためにアクセス不可能であり、かつ（２）目的地場所において制限されていない個別のメディアアセットのみを自動的にダウンロードしてもよい。
【図面の簡単な説明】
【００１８】
【図１】図１は、本開示のいくつかの実施形態による、目的地でのコンテンツ制限についてユーザに知らせるユーザインターフェースの例証的実施形態を描写する。
【図２】図２は、本開示のいくつかの実施形態による、メディアガイダンスアプリケーションのリスト項目および他のメディアガイダンス情報を提供するために使用され得る、表示画面の例証的実施形態を示す。
【図３】図３は、本開示のいくつかの実施形態による、メディアガイダンスアプリケーションのリスト項目を提供するために使用され得る表示画面の別の例証的実施形態を示す。
【図４】図４は、本開示のいくつかの実施形態による例証的ユーザ機器（ＵＥ）デバイスのブロック図である。
【図５】図５は、本開示のいくつかの実施形態による例証的メディアシステムのブロック図である。
【図６】図６は、本開示のいくつかの実施形態による、目的地での制限されたストリーミングメディアへのシームレスなアクセスを確実にするためのプロセスの例証的フローチャートを描写する。
【図７】図７は、本開示のいくつかの実施形態による、ユーザが第１の地理的場所から第２の地理的場所に旅行する予定であると判定するためのプロセスの例証的フローチャートを描写する。
【図８】図８は、本開示のいくつかの実施形態による、第２の地理的場所における制限されたメディアのサブセットへの継続したアクセスを確実にするためのプロセスの例証的フローチャートを描写する。
【発明を実施するための形態】
【００１９】
図１は、本開示のいくつかの実施形態による、目的地でのコンテンツ制限についてユーザに知らせるユーザインターフェースの例証的実施形態を描写する。ユーザ機器１００は、タブレットとして描写されるが、図２〜５に関して後述されているどのような機能性を備えたどのようなユーザ機器であってもよい。ユーザ機器１００は（同様に図２〜５に関してさらに後述されている）制御回路を備え、制御回路は（やはり、図２〜５に関してさらに後述されている）メディアガイダンスアプリケーションを実行する。
【００２０】
メディアガイダンスアプリケーションは、ユーザ機器１００のディスプレイまたは異なるデバイスのディスプレイのいずれかに、電子通信１０２と、アラート１０４と、選択可能オプション１０６と、情報ウィンドウ１０８とを表示のために生成してもよい。電子通信１０２は任意の電子通信であってもよく、任意の電子通信はユーザについての情報、例えば、電子メール、ＭＭＳまたはＳＭＳメッセージ、ユーザによって入力される、またはメディアガイダンスアプリケーションによって自動的に取り込まれるカレンダ情報、および任意の他の公知の電子通信等を含む。電子通信１０２から解析されたまたは収集されたと説明されている情報はまた、本開示のいくつかの実施形態によると、ユーザプロファイルから得られてもよい。
【００２１】
いくつかの実施形態では、メディアガイダンスアプリケーションは、ユーザが第１の地理的場所から第２の地理的場所に旅行する予定であることを示す情報を検出してもよい。例えば、メディアガイダンスアプリケーションは、電子通信１０２に基づいて、ユーザ機器１００のユーザが米国のニューヨークからイタリアのミラノに飛行機で行く予定であると判定してもよい。例えば、電子通信１０２は、旅程を含む、航空会社からの電子メールであってもよい。いくつかの実施形態では、電子通信１０２は、ユーザが第２の地理的場所に旅行する予定であることを直接メディアガイダンスアプリケーションに知らせる第三者プラットフォーム（例えば、ユーザのスマートフォンまたはタブレットにインストールされた航空路線または旅行アプリケーション）からのメッセージであってもよい。メディアガイダンスアプリケーションは、（例えば、電子通信が航空会社からであること、または電子通信が目的地（例えば、目的地１１０）および旅行日を示すことを理由に）電子通信のコンテンツが旅行について言及していると判定してもよい。メディアガイダンスアプリケーションは、次に、（例えば、ユーザがほとんどの場合ストリーミングコンテンツにアクセス可能である場所を習得するために）プロファイルに基づいて第１のユーザの自宅住所を識別し、電子通信のコンテンツを解析することにより、自宅住所以外の住所（例えば、イタリアの目的地のミラノ）を識別してもよい。自宅住所以外の住所を識別することに応答して、メディアガイダンスアプリケーションは、第２の地理的場所が自宅住所以外の住所であると判定してもよい（例えば、イタリアのミラノでのコンテンツ制限をチェックできるようにしてもよい）。
【００２２】
メディアガイダンスアプリケーションは、同様に、任意の電子通信１０２を処理してもよい。例えば、情報は、カレンダエントリ、ＭＭＳメッセージ、ユーザ入力インターフェース（ユーザ入力インターフェースは、図２〜５に関して後述されている）によって検出された別のユーザとの音声通信、または任意の他の通信から解析されてもよい。解析は、テキストを、既知の単語のデータベースと比較することによって生じてもよく、既知の単語は、旅行を示し、例えば、国、州、および都市名、航空会社名、鉄道会社名、および旅行を示す任意の他の単語等を示す。解析は同様に、クレジットカード、銀行、および購入申込書（旅行が購入されたことを示し得るもの）に基づいて、かつ他のどのような手段によって生じてもよい。
【００２３】
いくつかの実施形態では、検出（例えば、ユーザがミラノに旅行する予定であることの検出）に応答して、メディアガイダンスアプリケーションは、ユーザが消費するつもりである複数のストリーミングメディアを示すユーザのプロファイルによって示されるプレイリストにアクセスしてもよい。例えば、ユーザは、メディアストリーミングサービス（例えば、音楽ストリーミングのためのスポティファイ、ビデオストリーミングのためのネットフリックス）または集約サービス、すなわち、ユーザが他のメディアストリーミングサービスからストリーミングメディアにアクセスすることができるサービスに加入していてもよい。ビデオストリーミングサービスは、一般的に、ユーザが、ユーザが近い将来に視聴することを所望するメディアのリストであるウォッチリストを追加することを可能にする。ビデオストリーミングサービスおよび他のビデオサービスはまた、ユーザが近い将来に購入することを所望するメディアを示すウィッシュリストも記述する。プレイリストはまた、多くの場合、ビデオサービスにおいてだけではなく、音楽サービスにおいても使用され、プレイリストは、規定された順序で近い将来に消費することをユーザが所望するメディアを示す。
【００２４】
これらのリストのいずれかを使用して、ユーザは、先を見越して、将来に消費することを所望するメディアのリストを維持してもよい。その代わりに、プロファイルは、ユーザが将来に消費することを所望する可能性が高いメディアを示してもよい。例えば、プロファイルは、ユーザが、ほとんどの場合、あるシリーズのエピソードを、それらのエピソードが利用可能になってから数日以内に視聴することを示してもよく、またはユーザがシリーズのいくつかのエピソードの視聴を開始していることから、シリーズの残りのエピソードに対する継続したアクセスを所望する可能性が高いことを示してもよい。
【００２５】
これらのリストに基づいて、またはユーザのプロファイル内の情報に基づいて、メディアガイダンスアプリケーションは、ユーザが、特定の番組を楽しんでいるが、ユーザの旅行のせいで、それをストリーミング配信することが不可能となるおそれがあると判定してもよい。例えば、いくつかの実施形態では、メディアガイダンスアプリケーションは、複数のストリーミングメディアの各ストリーミングメディアに対応するデータをデータベースと比較することにより、複数のストリーミングメディアの各ストリーミングメディアが第２の地理的場所においてユーザにとってアクセス可能であるかどうかを判定してもよい。データベースと比較され得るデータは、メディアに対応する任意のタイプのデータ、例えば、タイトル、制作会社、配信会社、またはメディアストリーミングプロバイダ等のメディアプロバイダによってコンテンツ制限のための基礎として使用され得る任意の他のデータ等であってもよい。
【００２６】
いくつかの実施形態では、複数のストリーミングメディアは、特定のストリーミングメディアプロバイダ（例えば、ストリーミングビデオを提供するネットフリックス、またはストリーミング音楽を提供するスポティファイ）と関連付けられている。例えば、ネットフリックスのようなメディアストリーミングプロバイダは、異なるコンテンツを異なる国の者に提供する。コンテンツが異なるのは、多くの場合、メディアの所有者によるコンテンツ配信にかけられているライセンス制限によるものである。したがって、データベースは、メディアとメディアが利用可能または利用不可能である種々の国および場所との間の関連付け等、特定のストリーミングメディアプロバイダに関する地理的コンテンツ制限を示してもよい。メディアガイダンスアプリケーションは、複数のメディアのサブセットが第２の地理的場所においてユーザにとってアクセス可能またはアクセス不可能であると判定するとき、サブセットのメディアが第２の地理的場所において利用可能であるとして、または制限されているとして参照データベース内で示されていることを識別してもよい。データベース動作は、図２〜５に関してさらに詳細に後述される。
【００２７】
メディアガイダンスアプリケーションが、メディアのサブセットがユーザの目的地（例えば、イタリアのミラノ）において利用不可能であると判定すると、メディアガイダンスアプリケーションは、ユーザに、アラート１０４を用いて、本事実を警告してもよい。アラート１０４は、メディアが目的地場所において利用不可能であることを示してもよい。電子通信１０２が、ユーザが複数の目的地に旅行する予定であることを示す場合、アラート１０４は、複数の場所でのコンテンツ制限およびアクセス可能性を示してもよい。さらに、メディアガイダンスアプリケーションは、選択可能オプション１０６を、アラート１０４と同時に（またはアラート１０４と別個に）、所与の目的地においてアクセス不可能となるであろうメディアをダウンロードするオプションを伴って表示のために生成してもよい。ダウンロード動作および機能は、さらに詳細に後述されている。
【００２８】
いくつかの実施形態では、メディアガイダンスアプリケーションは、複数のメディアのサブセットが第２の地理的場所においてユーザにとってアクセス不可能であると判定してもよい。例えば、ユーザが、ニューヨークにおいてストリーミングで利用可能な１０のビデオアセットを楽しんでいるが、そのうちの２つが、ミラノにおいて利用不可能である場合、メディアガイダンスアプリケーションは、ミラノにおいて利用不可能である２つが第２の地理的場所においてユーザにとってアクセス不可能であるメディアのサブセットを形成すると判定してもよい。サブセットが第２の地理的場所においてユーザにとってアクセス不可能であると判定したことに応答して、メディアガイダンスアプリケーションは、サブセットの各メディアをダウンロードしてもよい。例えば、メディアガイダンスアプリケーションは、アップルのｉＴｕｎｅｓショップ等のインターネットビデオショップから２つのビデオアセットのダウンロード可能バージョンを特定し、ダウンロード可能バージョンをユーザが所有するデバイスにダウンロードしてもよい。このように、ミラノにおけるストリーミング配信制限はユーザがダウンロードされたビデオにアクセスすることを妨げるおそれはないので、ユーザは、ダウンロードされたビデオをミラノに携行し、中断なく、ダウンロードされたビデオを消費してもよい。
【００２９】
いくつかの実施形態では、メディアガイダンスアプリケーションは、サブセットの各メディアをダウンロードするとき、その前に、ユーザが所有するユーザとともに移動する複数のユーザ機器のうちの最も好適なユーザ機器を識別してもよい。例えば、ユーザは、ユーザ機器１００に加え、多くのユーザ機器を所有してもよい。ユーザは、携帯電話、タブレットコンピュータ、ラップトップコンピュータ、スマートウォッチ等のウェアラブルデバイス、テレビ機器などを所有してもよい。これらのユーザ機器はそれぞれ、種々のサイズ、重量、メモリ、および能力属性を有し得る。例えば、タブレットコンピュータは、ビデオアセットの視聴のために小型で軽量かつ優れた画面を有し得るが、また、限定された容量を有し、多くのダウンロードされたビデオアセットをそのメモリ内に保持することが可能ではない場合がある。このようにして、メディアガイダンスアプリケーションは、その後、サブセットの各メディアを最も好適なユーザ機器にダウンロードしてもよい。
【００３０】
最も好適なユーザ機器は、客観的データ、例えば、ポータブルデバイスが全ての所望のメディアアセットをダウンロードされた形態で携行可能であること、もしくはポータブルデバイスがメディアを最適フォーマット（例えば、ＨＤまたは４Ｋ）で表示可能であること等に基づいて判定されてもよいし、または主観的データ、例えば、ユーザの好み等に基づいて判定されてもよい。最も好適なデバイスの選択は、２０１０年４月３０日に出願され、米国特許出願公開第２０１０／０２１１６３６号として公開され、現在取り下げられている、米国特許出願第１２／７７１，５０２号と、２０１４年７月１日に発行された米国特許第８，７６９，５７８号とにさらに詳細に説明されており、それぞれ、参照することによってその全体として本明細書に組み込まれる。
【００３１】
いくつかの実施形態では、メディアガイダンスアプリケーションは、サブセットの各メディアをダウンロードするとき、その前に、サブセットの各メディアをダウンロードするためにユーザが所有する複数のユーザ機器の１つのユーザ機器を設定に基づいて判定してもよい（これは、最も好適なデバイスに基づいてそれを行うこととは対照的である）。設定は、ユーザによって指定されてもよい。例えば、ユーザは、旅行に携行することを好むユーザ機器をメディアがダウンロードされるべきユーザ機器として指定しておいてもよい。メディアガイダンスアプリケーションは、その後、サブセットの各メディアをユーザ機器にダウンロードしてもよい。設定はまた、メディアガイダンスアプリケーションによって自動的に判定されてもよい。例えば、メディアガイダンスアプリケーションは、以前のアクティビティに基づいて、設定を適用してもよい（例えば、ユーザが、その過去３回の旅行に所与のデバイスを選択している場合、メディアガイダンスアプリケーションは、次にユーザが旅行するときに、メディアをダウンロードするために所与のデバイスを自動的に選択してもよい）。
【００３２】
いくつかの実施形態では、ユーザ機器は、例えば、ハードドライブ限界、例えば、タブレットコンピュータの限定されたハードドライブ空間等に起因して、サブセットの各メディアを記憶するのに十分な容量を有していない場合がある。メディアガイダンスアプリケーションは、こういう場合は、プロファイルに示される好みに基づいて、記憶するためのサブセットの部分を自動的に選択してもよい。例えば、ユーザが、アクション映画を好む場合、メディアガイダンスアプリケーションは、アクション映画を他のメディアの代わりにダウンロードするのに限定された記憶装置を使用してもよい。好みが、プロファイルに示されていない場合、メディアガイダンスアプリケーションは、他のどのような要因、例えば、ダウンロードされるメディアアセットの数を最大にすること等に基づいてどのメディアをダウンロードすべきかを判定してもよい。さらに、メディアガイダンスアプリケーションは、より多くのダウンロード可能メディアが、選択されたユーザ機器に適合することを確実にするために、ダウンロード可能メディアのより低い品質のバージョンを探してもよい。
【００３３】
いくつかの実施形態では、ユーザ機器が、サブセットの各メディアを記憶するのに十分な容量を有していないとき、メディアガイダンスアプリケーションは、ユーザ機器がサブセットの各メディアを記憶するのに十分な容量を有していないことを示すユーザへのアラート（例えば、アラート１０４）を表示のために生成し、記憶するためのサブセット（例えば、ユーザが好む特定のメディア）の部分の選択をユーザから受信してもよい。情報は、情報ウィンドウ１０８のものに類似した情報を持つものでもよく、所与の場所において利用可能なメディアのリストを含んでいる。情報ウィンドウ１０８は、サブセットを示し、メディアガイダンスアプリケーションが、どの部分が記憶されるべきかのユーザ選択を受信するように双方向性であってもよい。選択を受信することに応答して、メディアガイダンスアプリケーションは、サブセットの部分をダウンロードしてもよい。その部分は、代替として、ユーザの好み等の任意の要因に基づいて、またはメディアが無料または他のメディアコストより比較的に安価であるかどうかに基づいて自動的に選択されてもよい。
【００３４】
いくつかの実施形態では、メディアガイダンスアプリケーションは、サブセットが第２の地理的場所においてユーザにはアクセス不可能であると判定することに応答して、複数のストリーミングメディアの各ストリーミングメディアに対応する個別のダウンロード可能ファイルが、ダウンロードするために利用可能である個別の場所を識別することに進んでもよい。例えば、メディアガイダンスアプリケーションは、ストリーミングメディアにはアップルのｉＴｕｎｅｓストア等の特定のオンラインストアからダウンロード可能な形態にて利用可能なものもあれば、（例えば、所与のウェブサイト上での販売促進に起因して）無料でダウンロード可能な形態にて利用可能なものもあると判定してもよい。メディアガイダンスアプリケーションは、個別のダウンロード可能ファイルが金銭の支払を伴わずに利用可能である場合、これらのダウンロード可能ファイルを自動的にダウンロードしてもよい。
【００３５】
いくつかの実施形態では、個別のダウンロード可能ファイルが購入を要求する場合、メディアガイダンスアプリケーションは、（例えば、アラート１０４または選択可能オプション１０６を用いて）ユーザに、ユーザが個別のダウンロード可能ファイルの購入を認可するかどうかに関して指示を求めてもよい。メディアガイダンスアプリケーションは、その後、ユーザが個別のダウンロード可能ファイルの購入を所望するかどうかのユーザ選択を受信してもよい。その代わりに、またはそれに加えて、メディアガイダンスアプリケーションは、所与のメディアがダウンロードされるべきかどうかを自動的に決定するデフォルト設定またはユーザ入力設定を有してもよい。例えば、ユーザは、メディアを取得するのにかかる金額が閾値金額を下回る場合、またはサブセットの全体を取得するのにかかる金額が閾値金額を下回る場合、メディアが、自動的にダウンロードされてもよく、そうでない場合、ダウンロードされないか、またはユーザが許可を求められるかのいずれかとなるべきであることを示してもよい。この目的を達成するために、メディアガイダンスアプリケーションは、ダウンロード可能メディアファイルを入手する最低コスト法を見つけてもよい。メディアを入手する最低コスト法の見つけ方は、米国特許出願公開第２０１４／０００７１４６号として公開された、２０１２年６月２７日に出願され、現在係属中の米国特許出願第１３／５３５，０５３号に記載されており、その内容は、参照することによってその全体として本明細書に組み込まれる。
【００３６】
いくつかの実施形態では、メディアガイダンスアプリケーションは、ユーザが、ほとんどの場合、メディアを友人または家族と一緒に視聴すると判定してもよい。メディアガイダンスアプリケーションは、アラート１０４を表示のために生成するとき、友人または家族の見るリストまたは将来的視聴傾向を考慮し、友人または家族の視聴傾向をアラート１０４内に組み込んでもよい。
【００３７】
いくつかの実施形態では、メディアガイダンスアプリケーションは、ユーザが旅行するとき、ユーザが制限されたコンテンツを携行することを可能とするが、コンテンツが制限された地理的場所においてユーザがコンテンツを消費することを防止してもよい。メディアガイダンスアプリケーションは、コンテンツが制限されている地理的場所（例えば、イタリアのミラノ）にユーザが進入したことを検出し、それに応答して、メディアガイダンスアプリケーションは、ユーザがイタリアのミラノにいる間はアクセス不可能であるデバイスの一部内にメディアを記憶してもよいし、またはユーザがイタリアのミラノにいる間は単にそのメディアへのアクセスを無効にしてもよい。
【００３８】
いくつかの実施形態では、メディアガイダンスアプリケーションは、制限されたコンテンツを第１の場所においてダウンロードすることを控え、制限されたコンテンツに類似する置換コンテンツをダウンロードしてもよいし、またはユーザのプレイリストの他のコンテンツをダウンロードしてもよい。例えば、いくつかの実施形態では、メディアコンテンツは、ライセンス制限に起因して所与の国では利用不可能であり得る。但し、いくつかのシナリオ（考えられる状況）では、いくつかのメディアコンテンツは、単に、利用不可能であるというよりはむしろ、いくつかの地理的場所では、実際には、違法であり得る。これらのシナリオでは、メディアガイダンスアプリケーションは、利用不可能なコンテンツを自動的にダウンロードするが、制限された（例えば、違法）コンテンツをダウンロードすることを控えてもよい。
【００３９】
所与のコンテンツ配信システムではどれもユーザに利用可能なコンテンツの量はかなりの量であり得る。その結果、多くのユーザは、ユーザがコンテンツの選択を効率的にナビゲートし、要求するかもしれないコンテンツを容易に識別することを可能にするインターフェースを通したメディアガイダンスの形態を要求している。そのようなガイダンスを提供するアプリケーションは、本明細書では、双方向メディアガイダンスアプリケーションと称されるが、時として、メディアガイダンスアプリケーションまたはガイダンスアプリケーションと称されることもある。
【００４０】
双方向メディアガイダンスアプリケーションは、ガイダンスを提供するコンテンツに応じて種々の形態をとってもよい。典型的なタイプのメディアガイダンスアプリケーションの１つは、双方向テレビ番組ガイドである。双方向テレビ番組ガイド（時として、電子番組ガイドと称される場合もある）は、とりわけ、ユーザが、多くのタイプのコンテンツまたはメディアアセット間をナビゲートし、それを特定することが可能である、公知のガイダンスアプリケーションである。双方向メディアガイダンスアプリケーションは、ユーザが、コンテンツ間をナビゲートし、コンテンツを特定し、選択することを可能にするグラフィカルユーザインターフェース画面を生成してもよい。本明細書で参照されるように、用語「メディアアセット」および「コンテンツ」とは、電子的に消費可能なユーザアセット、例えば、テレビ番組、ならびに有料番組、オンデマンド番組（ビデオオンデマンド（ＶＯＤ）システムにおけるようなもの）、インターネットコンテンツ（例えば、ストリーミングコンテンツ、ダウンロード可能コンテンツ、ウェブキャスト等）、ビデオクリップ、オーディオ、コンテンツ情報、写真、回転画像、ドキュメント、プレイリスト、ウェブサイト、記事、書籍、電子書籍、ブログ、チャットセッション、ソーシャルメディア、アプリケーション、ゲーム、および／または任意の他のメディアもしくはマルチメディア、および／またはそれらの組み合わせを意味すると理解されたい。ガイダンスアプリケーションはまた、ユーザが、コンテンツ間をナビゲートし、コンテンツを特定することを可能にする。本明細書で参照されるように、用語「マルチメディア」とは、前述の少なくとも２つの異なるコンテンツ形態、例えば、テキスト、オーディオ、画像、ビデオ、または双方向コンテンツ形態を利用するコンテンツを意味すると理解されたい。コンテンツは、ユーザ機器デバイスによって、録画、再生、表示、またはアクセスされてもよいが、また、ライブパーフォーマンスの一部であることも可能である。
【００４１】
本明細書で議論される実施形態のいずれかを行うためのメディアガイダンスアプリケーションおよび／または任意の命令は、コンピュータ可読媒体上にエンコードされてもよい。コンピュータ可読媒体は、データを記憶することが可能な任意のメディアを含む。コンピュータ可読媒体は、限定ではないが、電気または電磁信号の伝搬を含む、一過性のものであってもよく、または限定されるものではないが、ハードディスク、フロッピー（登録商標）ディスク、ＵＳＢドライブ、ＤＶＤ、ＣＤ、メディアカード、レジスタメモリ、プロセッサキャッシュ、ランダムアクセスメモリ（「ＲＡＭ」）等の揮発性および不揮発性コンピュータメモリまたは記憶デバイスを含む非一過性のものであってもよい。
【００４２】
インターネット、モバイルコンピューティング、および高速無線ネットワークの出現に伴って、ユーザは、従来は使用しなかったユーザ機器デバイス上でメディアにアクセスするようになっている。本明細書で参照されるように、語句「ユーザ機器デバイス」、「ユーザ機器」、「ユーザデバイス」、「電子デバイス」、「電子機器」、「メディア機器デバイス」、または「メディアデバイス」は、テレビ、スマートＴＶ、セットトップボックス、衛星テレビに対応するための統合型受信機デコーダ（ＩＲＤ）、デジタル記憶デバイス、デジタルメディア受信機（ＤＭＲ）、デジタルメディアアダプタ（ＤＭＡ）、ストリーミングメディアデバイス、ＤＶＤプレーヤ、ＤＶＤレコーダ、接続型ＤＶＤ、ローカルメディアサーバ、ＢＬＵ−ＲＡＹ（登録商標）プレーヤ、ＢＬＵ−ＲＡＹ（登録商標）レコーダ、パーソナルコンピュータ（ＰＣ）、ラップトップコンピュータ、タブレットコンピュータ、ウェブＴＶボックス、パーソナルコンピュータテレビ（ＰＣ／ＴＶ）、ＰＣメディアサーバ、ＰＣメディアセンター、ハンドヘルドコンピュータ、固定電話、携帯情報端末（ＰＤＡ）、携帯電話、ポータブルビデオプレーヤ、ポータブル音楽プレーヤ、ポータブルゲーム機、スマートフォン、または任意の他のテレビ機器、コンピューティング機器、もしくは無線デバイス、および／またはそれらの組み合わせ等の前述のコンテンツにアクセスするための任意のデバイスを意味すると理解されたい。いくつかの実施形態では、ユーザ機器デバイスは、正面画面および裏面画面、複数の正面画面、または複数の角度付き画面を有してもよい。いくつかの実施形態では、ユーザ機器デバイスは、正面カメラおよび／または背面カメラを有してもよい。これらのユーザ機器デバイス上で、ユーザは、テレビを通して利用可能な同一のコンテンツ間をナビゲートし、それを特定することが可能であってもよい。その結果として、メディアガイダンスは、これらのデバイス上でも利用可能であってもよい。提供されるガイダンスは、テレビのみを通して利用可能なコンテンツ、他のタイプのユーザ機器デバイスのうちの１つ以上のもののみを通して利用可能なコンテンツ、またはテレビおよび他のタイプのユーザ機器デバイスのうちの１つ以上のものの両方を通して利用可能なコンテンツのためのものであってもよい。メディアガイダンスアプリケーションは、ユーザ機器デバイス上で、オンラインアプリケーションとして提供されてもよく（例えば、ウェブサイト上で提供されてもよく）、もしくは独立型アプリケーションまたはクライアントとして提供されてもよい。メディアガイダンスアプリケーションを実装し得る種々のデバイスおよびプラットフォームは、以下でより詳細に説明される。
【００４３】
メディアガイダンスアプリケーションの機能の１つは、メディアガイダンスデータをユーザに提供することである。本明細書で参照されるように、語句「メディアガイダンスデータ」または「ガイダンスデータ」は、コンテンツに関連する任意のデータ、またはガイダンスアプリケーションを動作させる際に使用されるデータを意味すると理解されたい。例えば、ガイダンスデータは、番組情報、ガイダンスアプリケーション設定、ユーザの好み、ユーザプロファイル情報、メディアリスト項目、メディア関連情報（例えば、放送時間、放送チャンネル、タイトル、内容、評価情報（例えば、ペアレンタルコントロール評価、批評家の評価等）、ジャンルまたはカテゴリ情報、俳優情報、放送会社またはプロバイダのロゴのロゴデータ等）、メディア形式（例えば、標準解像度、高解像度、３Ｄ等）、オンデマンド情報、ブログ、ウェブサイト、およびユーザが所望のコンテンツ選択間をナビゲートし、それを特定するために役立つ、任意の他のタイプのガイダンスデータを含んでもよい。
【００４４】
図２〜３は、メディアガイダンスデータを提供するために使用され得る例証的表示画面を示す。図２〜３に示される表示画面は、任意の好適なユーザ機器デバイスまたはプラットフォーム上に実装されてもよい。図２〜３の表示は、フル画面表示として図示されているが、それらはまた、表示されているコンテンツ上に完全または部分的に重ね合わせられてもよい。ユーザは、表示画面に提供された選択可能なオプション（例えば、メニューオプション、リスト項目オプション、アイコン、ハイパーリンク等）を選択することによって、もしくはリモートコントロールまたは他のユーザ入力インターフェースもしくはデバイス上の専用ボタン（例えば、ＧＵＩＤＥ「ガイド」ボタン）を押下することによって、コンテンツ情報へのアクセスの要望を指示してもよい。ユーザの指示に応答して、メディアガイダンスアプリケーションは、グリッド内の時間およびチャンネル別、時間別、チャンネル別、ソース別、コンテンツタイプ別、カテゴリ別（例えば、映画、スポーツ、ニュース、子供向け、または他の番組カテゴリ）、または他の所定の、ユーザ定義の、もしくは他の編成基準等のいくつかの方法のうちの１つにおいて編成されたメディアガイダンスデータを伴う表示画面を提供してもよい。
【００４５】
図２は、単一表示内で異なるタイプのコンテンツへのアクセスも可能にする、時間およびチャンネル別に配列された番組リスト項目表示２００の例証的グリッドを示す。表示２００は、（１）チャンネル／コンテンツタイプ識別子２０４の列および（２）時間識別子２０６の行を持つグリッド２０２を含んでもよく、（１）チャンネル／コンテンツタイプ識別子２０４の列では、各チャンネル／コンテンツタイプ識別子（列内のセル）は利用可能な異なるチャンネルまたはコンテンツのタイプを特定しており、および（２）時間識別子２０６の行では、各時間識別子（行内のセル）は番組の時間帯を特定している。グリッド２０２も、番組リスト項目２０８等の番組リストのセルを含み、グリッド２０２では、各リスト項目は、チャンネルおよび時間に関連付けられたリスト項目上に設けられている番組のタイトルを提供する。ユーザ入力デバイスを用いて、ユーザは、ハイライト領域２１０を移動させることによって番組リスト項目を選択することができる。ハイライト領域２１０によって選択される番組リスト項目に関する情報が番組情報領域２１２内に提供されてもよい。領域２１２は、例えば、番組タイトル、番組内容、番組が提供される時間（該当する場合）、番組が放送されるチャンネル（該当する場合）、番組の評価、および他の所望の情報を含んでもよい。
【００４６】
線形番組（例えば、所定の時間に複数のユーザ機器デバイスに伝送されるようにスケジューリングされ、スケジューリングに従って提供されるコンテンツ）へのアクセスの提供に加え、メディアガイダンスアプリケーションは、非線形番組（例えば、任意の時間においてユーザ機器デバイスにアクセス可能であって、スケジューリングに従って提供されるものではないコンテンツ）へのアクセスも提供する。非線形番組は、オンデマンドコンテンツ（例えば、ＶＯＤ）、インターネットコンテンツ（例えば、ストリーミングメディア、ダウンロード可能メディア等）、ローカルに記憶したコンテンツ（例えば、前述の任意のユーザ機器デバイスまたは他の記憶デバイス上に記憶されたコンテンツ）、または時間的制約のない他のコンテンツを含む異なるコンテンツソースからのコンテンツを含んでもよい。オンデマンドコンテンツは、映画または特定のコンテンツプロバイダ（例えば、「ザ  ソプラノス（Ｔｈｅ  Ｓｏｐｒａｎｏｓ）」や「カーブ  ユア  エンシュージアズム（Ｃｕｒｂ  Ｙｏｕｒ  Ｅｎｔｈｕｓｉａｓｍ）」を提供するＨＢＯオンデマンド（ＨＢＯ  Ｏｎ  Ｄｅｍａｎｄ））によって提供される任意の他のコンテンツを含んでもよい。ＨＢＯ  ＯＮ  ＤＥＭＡＮＤは、タイム  ワーナー  カンパニー  エル  ピーらによって所有されるサービスマークであり、ＴＨＥ  ＳＯＰＲＡＮＯＳおよびＣＵＲＢ  ＹＯＵＲ  ＥＮＴＨＵＳＩＡＳＭは、ホーム  ボックス  オフィス  インクによって所有される商標である。インターネットコンテンツは、チャットセッションまたはウェブキャスト等のウェブイベント、もしくはインターネットウェブサイトまたは他のインターネットアクセス（例えば、ＦＴＰ）を通して、ストリーミングコンテンツまたはダウンロード可能なコンテンツとしてオンデマンドで利用可能なコンテンツを含んでもよい。
【００４７】
グリッド２０２は、オンデマンドリスト項目２１４、録画コンテンツリスト項目２１６、およびインターネットコンテンツリスト項目２１８を含む非線形番組のメディアガイダンスデータを提供してもよい。異なるタイプのコンテンツソースからの、コンテンツのためのメディアガイダンスデータを組み合わせている表示は、時として、「混合メディア」表示と称されることもある。表示２００とは異なる、表示され得るメディアガイダンスデータのタイプの種々の配列（例えば、録画および放送リスト項目のみの表示、オンデマンドおよび放送リスト項目のみの表示等）は、ユーザ選択またはガイダンスアプリケーション定義に基づいてもよい。例証されるように、リスト項目２１４、２１６、および２１８は、これらのリスト項目の選択が、それぞれ、オンデマンドリスト項目、録画リスト項目、またはインターネットリスト項目専用の表示にアクセスできることを示すように、グリッド２０２内に表示される時間ブロック全体に及ぶように示されている。いくつかの実施形態では、これらのコンテンツタイプのリスト項目は、グリッド２０２に直接含まれてもよい。ユーザがナビゲーションアイコン２２０のうちの１つを選択することに応答して、付加的メディアガイダンスデータが表示されてもよい（ユーザ入力デバイス上の矢印キーを押下することは、ナビゲーションアイコン２２０を選択するのと同様な方法で表示に影響を及ぼしてもよい）。
【００４８】
表示２００はまた、ビデオ領域２２２、およびオプション領域２２６を含んでもよい。ビデオ領域２２２は、ユーザが、現在利用可能である、今後利用可能となる、またはユーザに利用可能であった番組を視聴および／またはプレビューすることを可能にしてもよい。ビデオ領域２２２のコンテンツは、グリッド２０２に表示されるリスト項目のうちの１つに対応するか、またはそれから独立していてもよい。ビデオ領域を含むグリッド表示は、時として、ピクチャインガイド（ＰＩＧ）表示と称されることもある。ＰＩＧ表示およびそれらの機能は、２００３年５月１３日発行のＳａｔｔｅｒｆｉｅｌｄらの米国特許第６，５６４，３７８号、および２００１年５月２９日発行のＹｕｅｎらの米国特許第６，２３９，７９４号でさらに詳細に説明されており、それらは全体として参照することによって本明細書に組み込まれる。ＰＩＧ表示は、本明細書に説明される実施形態の他のメディアガイダンスアプリケーション表示画面に含まれてもよい。
【００４９】
オプション領域２２６は、ユーザが、異なるタイプのコンテンツ、メディアガイダンスアプリケーション表示、および／またはメディアガイダンスアプリケーション特徴にアクセスすることを可能にしてもよい。オプション領域２２６は、ディプレイ２００（および本明細書に説明される他の表示画面）の一部であってもよく、もしくは画面上のオプションを選択すること、またはユーザ入力デバイス上の専用または割当可能ボタンを押下することによって、ユーザによって呼び出されてもよい。オプション領域２２６内の選択可能オプションは、グリッド２０２内の番組リスト項目に関連する特徴に関してもよく、またはメインメニュー表示から利用可能なオプションを含んでもよい。番組リスト項目に関連する特徴は、番組を受信する他の放送時間または他の方法を検索すること、番組を録画すること、番組の連続録画を有効化すること、番組および／またはチャンネルをお気に入りとして設定すること、番組を購入すること、もしくは他の特徴を含んでもよい。メインメニュー表示から利用可能なオプションは、検索オプション、ＶＯＤオプション、ペアレンタルコントロールオプション、インターネットオプション、クラウドベースのオプション、デバイス同期オプション、第２の画面デバイスオプション、種々のタイプのメディアガイダンスデータ表示にアクセスするためのオプション、プレミアムサービスを購読するためのオプション、ユーザのプロファイルを編集するためのオプション、ブラウザオーバーレイにアクセスするためのオプション、もしくは他のオプションを含んでもよい。
【００５０】
メディアガイダンスアプリケーションは、ユーザの好みに基づいて個人向けにされてもよい。個人向けにされたメディアガイダンスアプリケーションは、ユーザが、表示および特徴をカスタマイズして、個人向にけされた「体験」をメディアガイダンスアプリケーションとともに生成することを可能にする。この個人向けにされた体験は、ユーザがこれらのカスタマイズを入力できるようにすることによって、および／またはメディアガイダンスアプリケーションがユーザ活動を監視することによって種々のユーザの好みを判定することによって生成されてもよい。ユーザは、ガイダンスアプリケーションにログインすることによって、またはその他の方法でガイダンスアプリケーションに対して自らを特定することによって、それらの個人向けにされたガイダンスアプリケーションにアクセスしてもよい。メディアガイダンスアプリケーションのカスタマイズは、ユーザプロファイルに従って作成されてもよい。カスタマイズは、提示方式（例えば、表示の色方式、テキストのフォントサイズ等）、表示されるコンテンツのリスト項目の態様（例えば、ＨＤＴＶ番組のみまたは３Ｄ番組のみ、お気に入りチャンネル選択に基づいたユーザ指定の放送チャンネル、チャンネルの表示の並び替え、推奨コンテンツ等）、所望の録画特徴（例えば、特定のユーザに対する録画または連続録画、録画品質等）、ペアレンタルコントロール設定、インターネットコンテンツのカスタマイズされた提示（例えば、ソーシャルメディアコンテンツ、電子メール、電子的に配信された記事等の提示）、および他の所望のカスタマイズを変更させることを含んでもよい。
【００５１】
メディアガイダンスアプリケーションは、ユーザが、ユーザプロファイル情報を提供することを可能にしてもよく、またはユーザプロファイル情報を自動的にコンパイルしてもよい。メディアガイダンスアプリケーションは、例えば、ユーザがアクセスするコンテンツ、および／またはユーザがガイダンスアプリケーションと行い得る他の情報とのやりとりを監視してもよい。加えて、メディアガイダンスアプリケーションは、特定のユーザに関連する他のユーザプロファイルの全体または一部を（例えば、ｗｗｗ．ａｌｌｒｏｖｉ．ｃｏｍ等のユーザがアクセスするインターネット上の他のウェブサイトから、ユーザがアクセスする他のメディアガイダンスアプリケーションから、ユーザがアクセスする他の双方向アプリケーションから、ユーザの別のユーザ機器デバイスから、その他のものから）取得し、および／またはメディアガイダンスアプリケーションがアクセスし得る他のソースから、ユーザに関する情報を取得してもよい。結果として、ユーザの異なるユーザ機器デバイスにわたって、統一されたガイダンスアプリケーション体験をユーザに提供することができる。このタイプのユーザ体験は、図５に関連して、以下でより詳細に説明される。付加的な個人向けにされたメディアガイダンスアプリケーション特徴は、２００５年７月１１日出願のＥｌｌｉｓらの米国特許出願第２００５／０２５１８２７号、２００７年１月１６日出願のＢｏｙｅｒらの米国特許出願第７，１６５，０９８号、および２００２年２月２１日出願のＥｌｌｉｓらの米国特許出願第２００２／０１７４４３０号でさらに詳細に説明されており、それらは全体として参照することにより本明細書に組み込まれる。
【００５２】
メディアガイダンスを提供するための別の表示配列が、図３に示されている。ビデオモザイク表示３００は、コンテンツのタイプ、ジャンル、および／または他の編成基準に基づいて編成されたコンテンツ情報のための選択可能オプション３０２を含む。表示３００では、テレビリスト項目オプション３０４が選択され、これにより、リスト項目３０６、３０８、３１０、および３１２を放送番組リスト項目として提供している。表示３００では、リスト項目は、カバーアート、コンテンツからの静止画像、ビデオクリップのプレビュー、コンテンツからのライブビデオ、またはリスト項目中にメディアガイダンスデータによって記述されているコンテンツをユーザに示す他のタイプのコンテンツを含むグラフィック画像を提供してもよい。グラフィックリスト項目のそれぞれはまた、リスト項目と関連付けられたコンテンツに関するさらなる情報を提供するように、テキストを伴ってもよい。例えば、リスト項目３０８は、メディア部分３１４およびテキスト部分３１６を含む２以上の部分を含んでもよい。メディア部分３１４および／またはテキスト部分３１６は、コンテンツをフル画面で見るために、またはメディア部分３１４に表示されたコンテンツに関連する情報を見るために（例えば、ビデオが表示されているチャンネルのリストを見るために）、選択可能であってもよい。
【００５３】
表示３００中のリスト項目は、異なるサイズである（すなわち、リスト項目３０６は、リスト項目３０８、３１０、および３１２より大きい）が、必要であれば、全リスト項目が同一のサイズであってもよい。リスト項目は、コンテンツプロバイダの所望に応じて、またはユーザの好みに基づいて、ユーザに関心の程度を示すために、または、あるコンテンツを強調するために、異なるサイズであるか、またはグラフィックが強調されてもよい。コンテンツリストをグラフィック的に強調するための種々のシステムおよび方法は、例えば、全体として参照することにより本明細書に組み込まれる、２００９年１１月１２日に出願されたＹａｔｅｓの米国特許出願公開第２０１０／０１５３８８５号で議論されている。
【００５４】
ユーザは、そのユーザ機器デバイスのうちの１つ以上のものから、コンテンツおよびメディアガイダンスアプリケーション（および前述されかつ後述されている表示画面）にアクセスしてもよい。図４は、例証的ユーザ機器デバイス４００の汎用実施形態を示す。ユーザ機器デバイスのより具体的な実装は、図５に関連して以下で議論される。ユーザ機器デバイス４００は、入出力（以下「Ｉ／Ｏ」）パス４０２を介してコンテンツおよびデータを受信してもよい。Ｉ／Ｏパス４０２は、処理回路４０６および記憶装置４０８を含む制御回路４０４に、コンテンツ（例えば、放送番組、オンデマンド番組、インターネットコンテンツ、ローカルエリアネットワーク（ＬＡＮ）または広域ネットワーク（ＷＡＮ）を経由して利用可能なコンテンツ、および／または他のコンテンツ）およびデータを提供してもよい。制御回路４０４は、Ｉ／Ｏパス４０２を使用して、コマンド、要求、および他の好適なデータを送受信するために使用されてもよい。Ｉ／Ｏパス４０２は、制御回路４０４（具体的には、処理回路４０６）を１つ以上の通信パス（以下で説明される）に接続してもよい。Ｉ／Ｏ機能は、これらの通信パスのうちの１つ以上のものによって提供されてもよいが、図面が複雑になり過ぎることを回避するため、図４では単一パスとして示されている。
【００５５】
制御回路４０４は、処理回路４０６等の任意の好適な処理回路に基づいてもよい。本明細書で参照されるように、処理回路とは、１つ以上のマイクロプロセッサ、マイクロコントローラ、デジタル信号プロセッサ、プログラマブル論理デバイス、フィールドプログラマブルゲートアレイ（ＦＰＧＡ）、特定用途向け集積回路（ＡＳＩＣ）等に基づく回路を意味すると理解され、マルチコアプロセッサ（例えば、デュアルコア、クアドコア、ヘクサコア、または任意の好適な数のコア）またはスーパーコンピュータを含んでもよい。いくつかの実施形態では、処理回路は、複数の別個のプロセッサまたは処理ユニット、例えば、複数の同一のタイプの処理ユニット（例えば、２つのＩｎｔｅｌ  Ｃｏｒｅ  ｉ７プロセッサ）または複数の異なるプロセッサ（例えば、Ｉｎｔｅｌ  Ｃｏｒｅ  ｉ５プロセッサおよびＩｎｔｅｌ  Ｃｏｒｅ  ｉ７プロセッサ）にわたって分散されてもよい。いくつかの実施形態では、制御回路４０４は、メモリ（すなわち、記憶装置４０８）に記憶されたメディアガイダンスアプリケーションのために命令を実行する。具体的には、制御回路４０４は、メディアガイダンスアプリケーションによって、前述および後述の機能を行うように命令されてもよい。例えば、メディアガイダンスアプリケーションは、制御回路４０４に、メディアガイダンス表示を生成するための命令を提供してもよい。いくつかの実装では、制御回路４０４によって行われるいかなるアクションもメディアガイダンスアプリケーションから受信した命令に基づいてもよい。
【００５６】
クライアントサーバに基づく実施形態では、制御回路４０４は、ガイダンスアプリケーションサーバもしくは他のネットワークまたはサーバと通信するための好適な通信回路を含んでいてもよい。前述の機能性を実行するための命令は、ガイダンスアプリケーションサーバ上に記憶されてもよい。通信回路は、ケーブルモデム、総合デジタル通信網（ＩＳＤＮ）モデム、デジタルサブスクライバ回線（ＤＳＬ）モデム、電話モデム、イーサネット（登録商標）カード、または他の機器との通信用無線モデム、または任意の他の好適な通信回路を含んでもよい。そのような通信は、インターネットもしくは任意の他の好適な通信ネットワークまたはパスを伴ってもよい（このことは、図５に関連してさらに詳細に説明される）。加えて、通信回路は、ユーザ機器デバイスのピアツーピア通信、または相互に離れた場所にあるユーザ機器デバイス間での通信を可能にする回路を含んでもよい（以下でさらに詳細に説明されている）。
【００５７】
メモリは、制御回路４０４の一部である記憶装置４０８として提供される電子記憶デバイスであってもよい。本明細書で参照されるように、語句「電子記憶デバイス」または「記憶デバイス」とは、ランダム−アクセスメモリ、読取専用メモリ、ハードドライブ、光学ドライブ、デジタルビデオディスク（ＤＶＤ）レコーダ、コンパクトディスク（ＣＤ）レコーダ、ＢＬＵ−ＲＡＹ（登録商標）ディスク（ＢＤ）レコーダ、ＢＬＵ−ＲＡＹ（登録商標）  ３Ｄディスクレコーダ、デジタルビデオレコーダ（ＤＶＲ、時として、パーソナルビデオレコーダと呼ばれる場合もある、またはＰＶＲ）、固体デバイス、量子記憶デバイス、ゲームコンソール、ゲームメディア、もしくは任意の他の好適な固定またはリムーバブル記憶デバイス、および／または任意のそれらの組み合わせ等の、電子データ、コンピュータソフトウェア、またはファームウェアを記憶するための任意のデバイスを意味すると理解されたい。記憶装置４０８は、本明細書に説明される種々のタイプのコンテンツ、ならびに前述のメディアガイダンスデータを記憶するために使用されてもよい。不揮発性メモリも、（例えば、ブートアップルーチンや他の命令を起動するために）使用されてもよい。図５に関連して説明されるクラウドベースの記憶装置が、記憶装置４０８を補完するために、または記憶装置４０８の代わりに使用されてもよい。
【００５８】
制御回路４０４は、ビデオ生成回路および同調回路、例えば、１つ以上のアナログチューナ、１つ以上のＭＰＥＧ−２デコーダ、または他のデジタルデコード回路、高解像度チューナ、または任意の他の好適な同調もしくはビデオ回路、もしくはそのような回路の組み合わせを含んでもよい。エンコード回路（例えば、無線、アナログ、またはデジタル信号を記憶のためにＭＰＥＧ信号に変換するためのもの）も設けられていてもよい。制御回路４０４はまた、コンテンツをユーザ機器４００の好ましい出力形式に上方変換および下方変換するためのスケーリング回路を含んでもよい。回路４０４はまた、デジタルおよびアナログ信号間で変換するためのデジタルからアナログへの変換回路ならびにアナログからデジタルへの変換回路を含んでもよい。同調およびエンコード回路は、コンテンツを受信して表示する、再生する、または録画するために、ユーザ機器デバイスによって使用されてもよい。同調およびエンコード回路はまた、ガイダンスデータを受信するために使用されてもよい。例えば、同調、ビデオ生成、エンコード、デコード、暗号化、解読、スケーリング、およびアナログ／デジタル回路を含む、本明細書に説明される回路は、１つ以上の汎用または特殊プロセッサ上で動作するソフトウェアを使用して実装されてもよい。複数のチューナが、同時同調機能（例えば、視聴および録画機能、ピクチャインピクチャ（ＰＩＰ）機能、多重チューナ録画機能等）に対処するように提供されてもよい。記憶装置４０８が、ユーザ機器４００とは別のデバイスとして提供される場合、同調およびエンコード回路（複数のチューナを含む）は、記憶装置４０８と関連付けられてもよい。
【００５９】
ユーザは、ユーザ入力インターフェース４１０を使用して、命令を制御回路４０４に送信してもよい。ユーザ入力インターフェース４１０は、任意の好適なユーザインターフェース、例えば、リモートコントロール、マウス、トラックボール、キーパッド、キーボード、タッチ画面、タッチパッド、スタイラス入力、ジョイスティック、音声認識インターフェース、または他のユーザ入力インターフェース等であってもよい。ディスプレイ４１２は、独立型デバイスとして提供されるか、またはユーザ機器デバイス４００の他の要素と統合してもよい。例えば、ディスプレイ４１２は、タッチスクリーンまたはタッチセンサ式ディスプレイであってもよい。そのような状況では、ユーザ入力インターフェース４１０は、ディスプレイ４１２と統合されても、または組み合わせられてもよい。ディスプレイ４１２は、モニタ、テレビ、モバイルデバイスのための液晶ディスプレイ（ＬＣＤ）、非晶質シリコンディスプレイ、低温ポリシリコンディスプレイ、電子インクディスプレイ、電気泳動ディスプレイ、アクティブマトリクスディスプレイ、エレクトロウェッティングディスプレイ、電気流体ディスプレイ、ブラウン管ディスプレイ、発光ダイオードディスプレイ、エレクトロルミネセントディスプレイ、プラズマ表示パネル、高性能アドレッシングディスプレイ、薄膜トランジスタディスプレイ、有機発光ダイオードディスプレイ、表面伝導型電子放出素子ディスプレイ（ＳＥＤ）、レーザテレビ、カーボンナノチューブ、量子ドットディスプレイ、干渉変調器ディスプレイ、または視覚的画像を表示するための任意の他の好適な機器のうちの１つ以上のものであってもよい。いくつかの実施形態では、ディスプレイ４１２は、ＨＤＴＶ対応型であってもよい。いくつかの実施形態では、ディスプレイ４１２は、３Ｄ表示であってもよく、双方向メディアガイダンスアプリケーションおよび任意の好適なコンテンツは、３Ｄで表示されてもよい。ビデオカードまたはグラフィックカードは、ディスプレイ４１２への出力を生成してもよい。ビデオカードは、３Ｄシーンおよび２Ｄグラフィックのレンダリング加速、ＭＰＥＧ−２／ＭＰＥＧ−４デコード、ＴＶ出力、または複数のモニタを接続する能力等の種々の機能をもたらしてもよい。ビデオカードは、制御回路４０４に関連する前述の任意の処理回路であってもよい。ビデオカードは、制御回路４０４と統合されていてもよい。スピーカ４１４は、ユーザ機器デバイス４００の他の要素との統合として提供されてもよく、または独立型ユニットであってもよい。ディスプレイ４１２上に表示されるビデオおよび他のコンテンツのオーディオコンポーネントは、スピーカ４１４を通して再生されてもよい。いくつかの実施形態では、音声は、音声を処理してスピーカ４１４を介して出力する受信機（図示せず）に配信されてもよい。
【００６０】
ガイダンスアプリケーションは、任意の好適なアーキテクチャを使用して実装されてもよい。例えば、それは、ユーザ機器デバイス４００上で完全に実装される、独立型アプリケーションであってもよい。そのようなアプローチでは、アプリケーションの命令は、ローカルに（例えば、記憶装置４０８に）記憶され、アプリケーションが使用するためのデータは、周期的に（例えば、帯域外フィードから、インターネットリソースから、または別の好適なアプローチを使用して）ダウンロードされる。制御回路４０４は、記憶装置４０８からアプリケーションの命令を読み出し、本明細書で議論される表示のいずれかを生成するための命令を処理してもよい。処理された命令に基づいて、制御回路４０４は、入力が入力インターフェース４１０から受信されるときにどんなアクションを行うべきかを判定してもよい。例えば、入力インターフェース４１０が上／下ボタンが選択されたことを示すとき、処理された命令によって表示上でのカーソルの上／下への移動が示されてもよい。
【００６１】
いくつかの実施形態では、メディアガイダンスアプリケーションは、クライアントサーバベースのアプリケーションである。ユーザ機器デバイス４００上に実装されたシックまたはシンクライアントによって使用するためのデータは、ユーザ機器デバイス４００の遠隔にあるサーバに要求を発行することによってオンデマンドで読み出される。クライアントサーバベースのガイダンスアプリケーションの一実施例では、制御回路４０４は、遠隔サーバによって提供されるウェブページを解釈するウェブブラウザを実行する。例えば、遠隔サーバは、記憶デバイス内にアプリケーションのための命令を記憶してもよい。遠隔サーバは、回路（例えば、制御回路４０４）を使用して、記憶された命令を処理し、前述および後述の表示を生成してもよい。クライアントデバイスは、遠隔サーバによって生成される表示を受信してもよく、表示の内容を機器デバイス４００上でローカルに表示してもよい。このように、命令の処理は、サーバによって遠隔で行われ、その一方、結果として生じる表示は、機器デバイス４００上にローカルに提供される。機器デバイス４００は、入力インターフェース４１０を介してユーザからの入力を受信し、対応する表示を処理して生成するために、それらの入力を遠隔サーバに伝送してもよい。例えば、機器デバイス４００は、上／下ボタンが入力インターフェース４１０を介して選択されたことを示す通信を遠隔サーバに伝送してもよい。遠隔サーバは、その入力に従って命令を処理し、入力に対応するアプリケーションの表示（例えば、カーソルを上／下に移動させる表示）を生成してもよい。生成された表示は、その後、ユーザへの提示のために、機器デバイス４００に伝送される。
【００６２】
いくつかの実施形態では、メディアガイダンスアプリケーションは、ダウンロードされ、インタープリタによって解釈されるか、あるいは（制御回路４０４によって動作させられる）仮想マシンによって別の方法で動作させられる。いくつかの実施形態では、ガイダンスアプリケーションは、ＥＴＶバイナリ交換形式（ＥＢＩＦ）でエンコードされ、好適なフィードの一部として制御回路４０４によって受信されて、制御回路４０４上で動作するユーザエージェントによって解釈されてもよい。例えば、ガイダンスアプリケーションは、ＥＢＩＦアプリケーションであってもよい。いくつかの実施形態では、ガイダンスアプリケーションは、制御回路４０４によって実行されるローカル仮想マシンまたは他の好適なミドルウェアによって受信されて動作させられる一連のＪＡＶＡ（登録商標）ベースのファイルによって定義されてもよい。そのような実施形態のうちのいくつか（例えば、ＭＰＥＧ−２または他のデジタルメディアエンコードスキームを採用するもの）では、ガイダンスアプリケーションは、例えば、番組のＭＰＥＧオーディオおよびビデオパケットを用いたＭＰＥＧ−２オブジェクトカルーセルにおいてエンコードされて伝送されてもよい。
【００６３】
図４のユーザ機器デバイス４００は、ユーザテレビ機器５０２、ユーザコンピュータ機器５０４、無線ユーザ通信デバイス５０６、または非携帯型ゲーム機等のコンテンツにアクセスするために好適な任意の他のタイプのユーザ機器として、図５のシステム５００に実装することができる。簡単にするために、これらのデバイスは、本明細書では総称して、ユーザ機器またはユーザ機器デバイスと称されてもよく、前述のユーザ機器デバイスに実質的に類似してもよい。メディアガイダンスアプリケーションが実装され得るユーザ機器デバイスは、独立型デバイスとして機能してもよく、またはデバイスのネットワークの一部であってもよい。デバイスの種々のネットワーク構成が実装されてもよく、以下でさらに詳細に議論されている。
【００６４】
図４に関連して上述されたシステム特徴のうちの少なくともいくつかを利用するユーザ機器デバイスは、もっぱら、ユーザテレビ機器５０２、ユーザコンピュータ機器５０４、または無線ユーザ通信デバイス５０６として分類されている必要はない。例えば、ユーザテレビ機器５０２は、いくつかのユーザコンピュータ機器５０４のように、インターネットコンテンツへアクセスすることを可能にするインターネット対応型であってもよく、その一方で、ユーザコンピュータ機器５０４は、テレビ機器５０２のように、テレビ番組へアクセスすることを可能にするチューナを含んでもよい。メディアガイダンスアプリケーションはまた、種々の異なるタイプのユーザ機器上で同一レイアウトを有してもよく、またはユーザ機器の表示能力に合わせられてもよい。例えば、ユーザコンピュータ機器５０４上では、ガイダンスアプリケーションは、ウェブブラウザによってアクセスされるウェブサイトとして提供されてもよい。別の実施例では、ガイダンスアプリケーションは、無線ユーザ通信デバイス５０６用に縮小されてもよい。
【００６５】
システム５００では、典型的には、各タイプのユーザ機器デバイスが２つ以上存在するが、図面が複雑になり過ぎることを回避するように、それぞれ１つだけが図５に示されている。加えて、各ユーザは、２つ以上のタイプのユーザ機器デバイスを利用し、しかも各タイプの２つ以上のユーザ機器デバイスを利用してもよい。
【００６６】
いくつかの実施形態では、ユーザ機器デバイス（例えば、ユーザテレビ機器５０２、ユーザコンピュータ機器５０４、無線ユーザ通信デバイス５０６）は、「第２の画面デバイス」と称されてもよい。例えば、第２の画面デバイスは、第１のユーザ機器デバイス上に提示されるコンテンツを補完してもよい。第２の画面デバイス上に提示されるコンテンツは、第１のデバイス上に提示されるコンテンツを補完する任意の好適なコンテンツであってもよい。いくつかの実施形態では、第２の画面デバイスは、第１のデバイスの設定および表示の好みを調節するためのインターフェースを提供する。いくつかの実施形態では、第２の画面デバイスは、他の第２の画面デバイスと情報のやりとりをする、またはソーシャルネットワークと情報のやりとりをするために構成される。第２の画面デバイスは、第１のデバイスと同一の部屋内に、第１のデバイスと異なる部屋であるが同一の家または建物内に、もしくは第１のデバイスと異なる建物内に設置され得る。
【００６７】
ユーザはまた、家庭内デバイスおよび遠隔デバイスにわたって一貫したメディアガイダンスアプリケーション設定を維持するように、種々の設定を行ってもよい。設定は、本明細書に説明される設定、ならびにお気に入りのチャンネルおよび番組、番組を推奨するためにガイダンスアプリケーションが利用する番組の好み、表示の好み、および他の望ましいガイダンス設定を含む。例えば、ユーザが、オフィスのパソコンで、例えば、ウェブサイトｗｗｗ．ａｌｌｒｏｖｉ．ｃｏｍの上で、チャンネルをお気に入りとして設定した場合、必要であれば、同一のチャンネルが、ユーザの家庭内デバイス（例えば、ユーザテレビ機器およびユーザコンピュータ機器）、ならびにユーザのモバイルデバイス上でお気に入りとして表示される。したがって、同一または異なるタイプのユーザ機器デバイスであるかどうかにかかわらず、１つのユーザ機器デバイス上で行われる変更は、別のユーザ機器デバイス上のガイダンス体験を変更することができる。加えて、行われる変更は、ユーザによる設定入力、ならびにガイダンスアプリケーションによって監視されるユーザ動作に基づいてもよい。
【００６８】
ユーザ機器デバイスは、通信ネットワーク５１４に連結されてもよい。すなわち、ユーザテレビ機器５０２、ユーザコンピュータ機器５０４、および無線ユーザ通信デバイス５０６は、それぞれ、通信パス５０８、５１０、および５１２を介して、通信ネットワーク５１４に連結される。通信ネットワーク５１４は、１つ以上のネットワークであってもよく、１つ以上のネットワークは、インターネット、携帯電話ネットワーク、モバイルボイスまたはデータネットワーク（例えば、４ＧまたはＬＴＥネットワーク））、ケーブルネットワーク、公衆交換電話ネットワーク、または他のタイプの通信ネットワーク、もしくは通信ネットワークの組み合わせを含む。パス５０８、５１０、および５１２は、それぞれ別々にまたはそれらの全体で、１つ以上の通信パス、例えば、衛星パス、光ファイバパス、ケーブルパス、インターネット通信をサポートするパス（例えば、ＩＰＴＶ）、フリースペース接続（例えば、放送または他の無線信号用）、もしくは任意の他の好適な有線または無線通信パス、もしくはそのようなパスの組み合わせ等を含んでもよい。パス５１２は、図５に示された例示的実施形態において、無線パスであることを示すように破線で描かれ、パス５０８および５１０は、有線パスであることを示すように実線で描かれている（しかし、これらのパスは、必要に応じて、無線パスであってもよい）。ユーザ機器デバイスとの通信は、１つ以上のこれらの通信パスによって提供されてもよいが、図５では、図面が複雑になり過ぎることを回避するために、単一パスとして示されている。
【００６９】
通信パスは、ユーザ機器デバイスの間には描かれていないが、これらのデバイスは、相互に通信パスを介して直接通信してもよく、通信パスは、例えば、パス５０８、５１０、および５１２に関連して上述されたもの、ならびに他の短距離ポイントツーポイント通信パス、例えば、ＵＳＢケーブル、ＩＥＥＥ１３９４ケーブル、無線パス（例えば、ブルートゥース（登録商標）、赤外線、ＩＥＥＥ８０２−１１ｘ等）等、もしくは有線または無線パスを介した他の短距離通信である。ＢＬＵＥＴＯＯＴＨ（登録商標）は、ブルートゥース（登録商標）  エス  アイ  ジー，インク．によって所有される認証マークである。ユーザ機器デバイスはまた、通信ネットワーク５１４を介した間接的パスを通して、直接相互に通信してもよい。
【００７０】
システム５００は、それぞれ、通信パス５２０および５２２を介して通信ネットワーク５１４に連結されるコンテンツソース５１６およびメディアガイダンスデータソース５１８を含む。パス５２０および５２２は、パス５０８、５１０、および５１２に関して上述された通信パスのうちのいずれかを含んでもよい。コンテンツソース５１６およびメディアガイダンスデータソース５１８との通信は、１つ以上の通信パスを介して交信されてもよいが、図５では、図面が複雑になり過ぎることを回避するために、単一パスとして示されている。加えて、コンテンツソース５１６およびメディアガイダンスデータソース５１８のそれぞれが２つ以上あってもよいが、図５では、図面が複雑になり過ぎることを回避するために、それぞれ１つだけが示されている。（これらのソースのそれぞれの異なるタイプを以下で議論する）。必要に応じて、コンテンツソース５１６およびメディアガイダンスデータソース５１８は、１つのソースデバイスとして統合されてもよい。ソース５１６および５１８と、ユーザ機器デバイス５０２、５０４、ならびに５０６との間の通信は、通信ネットワーク５１４を通したものとして示されているが、いくつかの実施形態では、ソース５１６および５１８は、通信パス（図示せず）、例えば、パス５０８、５１０、並びに５１２に関連して上述されたもの等を介して、ユーザ機器デバイス５０２、５０４、および５０６と直接通信してもよい。
【００７１】
コンテンツソース５１６は、１つ以上のタイプのコンテンツ配信機器を含んでいてもよく、１つ以上のタイプのコンテンツ配信機器は、テレビ配信施設、ケーブルシステムヘッドエンド、衛星配信施設、番組ソース（例えば、ＮＢＣ、ＡＢＣ、ＨＢＯ等のテレビ放送会社）、中間配信施設および／またはサーバ、インターネットプロバイダ、オンデマンドメディアサーバ、および他のコンテンツプロバイダを含む。ＮＢＣは、ナショナル  ブロードキャスティング  カンパニー，インク．によって所有される商標であり、ＡＢＣは、アメリカン  ブロードキャスティング  カンパニー，インク．によって所有される商標であり、ＨＢＯは、ホーム  ボックス  オフィス，インク．によって所有される商標である。コンテンツソース５１６は、コンテンツの発信元であってもよく、例えば、テレビ放送会社、ウェブキャストプロバイダ等であり、またはコンテンツの発信元でなくてもよく、例えば、オンデマンドコンテンツプロバイダ、ダウンロード用放送番組のコンテンツのインターネットプロバイダ等である。コンテンツソース５１６は、ケーブルソース、衛星プロバイダ、オンデマンドプロバイダ、インターネットプロバイダ、オーバーザトップコンテンツプロバイダ、またはコンテンツの他のプロバイダを含んでもよい。コンテンツソース５１６はまた、ユーザ機器デバイスのうちのいずれかからも遠隔の場所にある、異なるタイプのコンテンツ（ユーザによって選択されるビデオコンテンツを含む）を記憶するために使用される遠隔メディアサーバを含んでもよい。コンテンツの遠隔記憶のためのシステムおよび方法であって、遠隔に記憶されたコンテンツをユーザ機器に提供するためのシステムおよび方法は、全体として参照することにより本明細書に組み込まれる、２０１０年７月２０日出願のＥｌｌｉｓらの米国特許出願第７，７６１，８９２号に関連して、さらに詳細に議論されている。
【００７２】
メディアガイダンスデータソース５１８は、前述のメディアガイダンスデータ等のメディアガイダンスデータを提供してもよい。メディアガイダンスデータは、任意の好適なアプローチを使用して、ユーザ機器デバイスに提供されてもよい。いくつかの実施形態では、ガイダンスアプリケーションは、データフィード（例えば、継続フィードまたはトリクルフィード）を介して、番組ガイドデータを受信する独立型双方向テレビ番組ガイドであってもよい。番組スケジューリングデータおよび他のガイダンスデータは、テレビチャンネルのサイドバンド上で、帯域内デジタル信号を使用して、帯域外デジタル信号を使用して、または任意の他の好適なデータ伝送技術によって、ユーザ機器に提供されてもよい。番組スケジューリングデータおよび他のメディアガイダンスデータは、複数のアナログまたはデジタルテレビチャンネル上でユーザ機器に提供されてもよい。
【００７３】
いくつかの実施形態では、メディアガイダンスデータソース５１８からのガイダンスデータは、クライアントサーバアプローチを使用してユーザの機器に提供されてもよい。例えば、ユーザ機器デバイスは、メディアガイダンスデータをサーバからプルしてもよく、またはサーバは、メディアガイダンスデータをユーザ機器デバイスにプッシュしてもよい。いくつかの実施形態では、ユーザの機器上に常駐するガイダンスアプリケーションクライアントは、必要に応じて、例えば、ガイダンスデータが、古くなっているとき、またはユーザ機器デバイスがデータを受信する要求をユーザから受信したとき、ソース５１８とセッションを開始し、ガイダンスデータを取得してもよい。メディアガイダンスは、任意の好適な頻度で（例えば、継続的に、毎日、ユーザ指定周期で、システム指定周期で、あるいはユーザ機器からの要求に応答して等）ユーザ機器に提供されてもよい。メディアガイダンスデータソース５１８は、ユーザ機器デバイス５０２、５０４、および５０６に、メディアガイダンスアプリケーション自体、またはメディアガイダンスアプリケーションのソフトウェア更新を提供してもよい。
【００７４】
いくつかの実施形態では、メディアガイダンスデータは、視聴者データを含んでもよい。例えば、視聴者データは、現在および／または履歴ユーザアクティビティ情報（例えば、ユーザが典型的に見るコンテンツ、ユーザがコンテンツを見る時刻、ユーザがソーシャルネットワークと情報をやりとりするどうか、ユーザがソーシャルネットワークと情報のやりとりをし、情報をポストする時間、ユーザが典型的に見るコンテンツのタイプ（例えば、有料ＴＶまたは無料ＴＶ）、気分、脳の活動情報等）を含んでもよい。メディアガイダンスデータはまた、サブスクライブデータを含んでもよい。例えば、サブスクライブデータは、所与のユーザがどのソースまたはサービスにサブスクライブしているか（加入しているか）および／または所与のユーザがどのソースまたはサービスに以前サブスクライブしたが、後にアクセスを打ち切ったか（例えば、ユーザがプレミアムチャンネルにサブスクライブしているかどうか、ユーザがプレミアムレベルのサービスを追加したかどうか、ユーザがインターネット速度を加速させたかどうかなど）を識別してもよい。いくつかの実施形態では、視聴者データおよび／またはサブスクライブデータは、１年を上回る周期の間の所与のユーザのパターンを識別してもよい。メディアガイダンスデータは、所与のユーザがサービス／ソースへのアクセスを打ち切るであろう可能性を示すスコアを生成するために使用されるモデル（例えば、残存者モデル）を含んでもよい。例えば、メディアガイダンスアプリケーションは所与のユーザが特定のサービスまたはソースへのアクセスを打ち切るかどうかの可能性を示す値またはスコアを生成するためのモデルを用いて視聴者データをサブスクライブデータとともに処理してもよい。特に、より高いスコアは、ユーザが特定のサービスまたはソースへのアクセスを打ち切るより高いレベルの信頼性を示し得る。スコアに基づいて、メディアガイダンスアプリケーションは、ユーザがアクセスを打ち切る可能性が高いものとしてスコアによって示される特定のサービスまたはソースをユーザが維持するように勧誘する宣伝を生成してもよい。
【００７５】
メディアガイダンスアプリケーションは、例えば、ユーザ機器デバイス上に実装される独立型アプリケーションであってもよい。例えば、メディアガイダンスアプリケーションは、記憶装置４０８内に記憶されてユーザ機器デバイス４００の制御回路４０４によって実行され得るソフトウェアまたは実行可能命令のセットとして実装されてもよい。いくつかの実施形態では、メディアガイダンスアプリケーションは、クライアント−サーバアプリケーションであってもよく、その場合、クライアントアプリケーションのみユーザ機器デバイス上に常駐し、サーバアプリケーションは遠隔サーバ上に常駐する。例えば、メディアガイダンスアプリケーションは、部分的にユーザ機器デバイス４００の制御回路４０４上にクライアントアプリケーションとして実装され、部分的に遠隔サーバ上に、遠隔サーバの制御回路（例えば、メディアガイダンスデータソース５１８）上で動作するサーバアプリケーションとして実装されてもよい。遠隔サーバの制御回路（メディアガイダンスデータソース５１８等）によって実行されると、メディアガイダンスアプリケーションは、ガイダンスアプリケーション表示を生成し、生成された表示をユーザ機器デバイスに伝送するように制御回路に命令してもよい。サーバアプリケーションは、メディアガイダンスデータソース５１８の制御回路に、ユーザ機器上での記憶のためのデータを伝送するように命令してもよい。クライアントアプリケーションは、受信用ユーザ機器の制御回路に、ガイダンスアプリケーション表示を生成するように命令してもよい。
【００７６】
ユーザ機器デバイス５０２、５０４、および５０６に配信されるコンテンツならびに／またはメディアガイダンスデータは、オーバーザトップ（ＯＴＴ）コンテンツであってもよい。ＯＴＴコンテンツ配信は、前述の任意のユーザ機器デバイスを含むインターネット対応型ユーザデバイスが、ケーブルまたは衛星接続を経由して受信されるコンテンツに加え、前述の任意のコンテンツを含む、インターネットを経由して転送されるコンテンツを受信することを可能にする。ＯＴＴコンテンツは、インターネットサービスプロバイダ（ＩＳＰ）によって提供されるインターネット接続を介して配信されるが、第三者も、コンテンツを配信する。ＩＳＰは、視聴能力、著作権、またはコンテンツの再配信に関与していなくてもよく、ＯＴＴコンテンツプロバイダによって提供されるＩＰパケットのみ転送してもよい。ＯＴＴコンテンツプロバイダの実施例として、ＩＰパケットを介して、オーディオおよびビデオを提供する、ＹＯＵＴＵＢＥ（登録商標）、ＮＥＴＦＬＩＸ、およびＨＵＬＵが挙げられる。Ｙｏｕｔｕｂｅは、グーグル  インク．によって所有される商標であり、Ｎｅｔｆｌｉｘは、ネットフリックス  インク．によって所有される商標であり、Ｈｕｌｕは、フールー，ＬＬＣ．によって所有される商標である。ＯＴＴコンテンツプロバイダは、加えて、または代わりに、前述のメディアガイダンスデータを提供してもよい。コンテンツおよび／またはメディアガイダンスデータに加え、ＯＴＴコンテンツのプロバイダは、メディアガイダンスアプリケーション（例えば、ウェブベースのアプリケーションまたはクラウドベースのアプリケーション）を配信することができ、またはコンテンツは、ユーザ機器デバイス上に記憶されるメディアガイダンスアプリケーションによって表示されることができる。
【００７７】
メディアガイダンスシステム５００は、いくつかのアプローチまたはネットワーク構成を例証することを意図しており、これによって、ユーザ機器デバイスならびにコンテンツおよびガイダンスデータのソースは、コンテンツにアクセスしてメディアガイダンスを提供する目的で、相互に通信してもよい。本明細書に説明される実施形態は、これらのアプローチの任意の１つまたは一部において、もしくはコンテンツを配信してメディアガイダンスを提供するための他のアプローチを採用するシステムにおいて、適用されてもよい。以下の４つのアプローチは、図５の汎用実施例の具体的例証を提供する。
【００７８】
あるアプローチでは、ユーザ機器デバイスは、ホームネットワーク内で相互に通信してもよい。ユーザ機器デバイスは、上述された短距離ポイントツーポイント通信方式を介して、ホームネットワーク上に提供されるハブまたは他の類似デバイスを通した間接パスを介して、もしくは通信ネットワーク５１４を介して、直接相互に通信することができる。１つの家庭内の複数の個人のそれぞれが、ホームネットワーク上の異なるユーザ機器デバイスを操作してもよい。結果として、種々のメディアガイダンス情報または設定が、異なるユーザ機器デバイス間で伝達されることが望ましくあり得る。例えば、２００５年７月１１日出願のＥｌｌｉｓらの米国特許公開第２００５／０２５１８２７号でさらに詳細に説明されているように、ホームネットワーク内の異なるユーザ機器デバイス上で、ユーザが一貫したメディアガイダンスアプリケーション設定を維持することが望ましくてもよい。ホームネットワーク内の異なるタイプのユーザ機器デバイスも、相互に通信し、コンテンツを伝送してもよい。例えば、ユーザは、ユーザコンピュータ機器から携帯用ビデオプレーヤまたは携帯用音楽プレーヤにコンテンツを伝送してもよい。
【００７９】
第２のアプローチでは、ユーザは、ユーザがコンテンツにアクセスしてメディアガイダンスを取得するための複数のタイプのユーザ機器を有してもよい。例えば、一部のユーザは、家庭内およびモバイルデバイスによってアクセスされるホームネットワークを有してもよい。ユーザは、遠隔デバイス上に実装されるメディアガイダンスアプリケーションを介して家庭内デバイスを制御してもよい。例えば、ユーザは、オフィスのパーソナルコンピュータ、もしくはＰＤＡまたはウェブ対応携帯電話等のモバイルデバイスを介して、ウェブサイト上のオンラインメディアガイダンスアプリケーションにアクセスしてもよい。ユーザは、オンラインガイダンスアプリケーション上で種々の設定（例えば、録画、リマインダ、または他の設定）を設定して、ユーザの家庭内機器を制御してもよい。オンラインガイドは、直接、またはユーザの家庭内機器上のメディアガイダンスアプリケーションと通信することによって、ユーザの機器を制御してもよい。ユーザ機器デバイスが互いに離れた場所にある場合のユーザ機器デバイスの通信のための種々のシステムおよび方法は、例えば、その全体を参照することにより本明細書に組み込まれる、Ｅｌｌｉｓらの２０１１年１０月２５日発行の米国特許第８，０４６，８０１号で議論されている。
【００８０】
第３のアプローチでは、家庭内外のユーザ機器デバイスのユーザは、そのメディアガイダンスアプリケーションを使用することにより、コンテンツソース５１６と直接通信し、コンテンツにアクセスすることができる。具体的には、家庭内では、ユーザテレビ機器５０２およびユーザコンピュータ機器５０４のユーザは、メディアガイダンスアプリケーションにアクセスし、所望のコンテンツ間をナビゲートし、それを特定してもよい。ユーザはまた、無線ユーザ通信デバイス５０６を使用して家庭外のメディアガイダンスアプリケーションにアクセスすることにより、所望のコンテンツ間をナビゲートし、それを特定してもよい。
【００８１】
第４のアプローチでは、ユーザ機器デバイスは、クラウドコンピューティング環境内で操作し、クラウドサービスにアクセスしてもよい。クラウドコンピューティング環境では、コンテンツの共有、記憶、または配信のための種々のタイプのコンピューティングサービス（例えば、ビデオ共有サイトまたはソーシャルネットワーキングサイト）が、「クラウド」と称される、ネットワーク−アクセス可能コンピューティングおよび記憶リソースの集合によって提供される。例えば、クラウドは、サーバコンピューティングデバイスの集合を含むことができ、サーバコンピューティングデバイスは、中央または分散場所に位置することができ、クラウドベースのサービスを種々のタイプのユーザ、および通信ネットワーク５１４を介したインターネットなどのネットワークを介して接続されるデバイスに提供する。これらのクラウドリソースは、１つ以上のコンテンツソース５１６および１つ以上のメディアガイダンスデータソース５１８を含んでもよい。加えて、またはその代わりに、遠隔コンピューティングサイトは、ユーザテレビ機器５０２、ユーザコンピュータ機器５０４、および無線ユーザ通信デバイス５０６等の他のユーザ機器デバイスを含んでもよい。例えば、他のユーザ機器デバイスは、ビデオの記憶されたコピーまたはストリーミングされたビデオへのアクセスを提供してもよい。そのような実施形態では、ユーザ機器デバイスは、中心サーバと通信せずに、ピアツーピア方式で動作してもよい。
【００８２】
クラウドは、ユーザ機器デバイスのために、とりわけ、コンテンツ記憶、コンテンツ共有、またはソーシャルネットワーキングサービス等のサービスへのアクセス、ならびに前述の任意のコンテンツへのアクセスを提供する。サービスは、クラウドコンピューティングサービスプロバイダを通して、またはオンラインサービスの他のプロバイダを通して、クラウド内で提供されることができる。例えば、クラウドベースのサービスは、コンテンツ記憶サービス、コンテンツ共有サイト、ソーシャルネットワーキングサイト、または他のサービスを含むことができ、これにより、ユーザ供給コンテンツは、接続されたデバイスでの他者による視聴のために配信される。これらのクラウドベースのサービスは、ユーザ機器デバイスがコンテンツをローカルに記憶し、ローカルに記憶されたコンテンツにアクセスするのではなく、コンテンツをクラウドに記憶し、コンテンツをクラウドから受信することを可能にしてもよい。
【００８３】
ユーザは、カムコーダ、ビデオモード付きデジタルカメラ、オーディオレコーダ、携帯電話、およびハンドヘルドコンピューティングデバイス等の種々のコンテンツ捕捉デバイスを使用してコンテンツを録画してもよい。ユーザは、例えば、コンテンツ捕捉特徴を有するユーザコンピュータ機器５０４または無線ユーザ通信デバイス５０６からのいずれかから直接、クラウド上のコンテンツ記憶サービスにコンテンツをアップロードすることができる。その代わりに、ユーザは、最初に、コンテンツをユーザコンピュータ機器５０４等のユーザ機器デバイスに転送することができる。コンテンツを記憶するユーザ機器デバイスは、通信ネットワーク５１４でデータ伝送サービスを使用してコンテンツをクラウドにアップロードする。いくつかの実施形態では、ユーザ機器デバイス自体がクラウドリソースであり、他のユーザ機器デバイスが、ユーザがコンテンツを記憶したユーザ機器デバイスから直接コンテンツにアクセスすることができる。
【００８４】
クラウドリソースは、例えば、ウェブブラウザ、メディアガイダンスアプリケーション、デスクトップアプリケーション、モバイルアプリケーション、および／またはそれらのアクセスアプリケーションの任意の組み合わせを使用して、ユーザ機器デバイスによってアクセスされてもよい。ユーザ機器デバイスは、アプリケーション配信のためにクラウドコンピューティングに依拠するクラウドクライアントであってもよく、またはユーザ機器デバイスは、クラウドリソースへのアクセスを伴わないいくつかの機能性を有してもよい。例えば、ユーザ機器デバイス上で動作するいくつかのアプリケーションは、クラウドアプリケーション、すなわち、インターネットを経由してサービスとして配信されるアプリケーションであってもよく、その一方で、他のアプリケーションは、ユーザ機器デバイス上に記憶されてユーザ機器デバイスで動作してもよい。いくつかの実施形態では、ユーザデバイスは、コンテンツを複数のクラウドリソースから同時に受信してもよい。例えば、ユーザデバイスは、オーディオを１つのクラウドリソースからストリーミングし、その一方で、コンテンツを第２のクラウドリソースからダウンロードすることができる。または、ユーザデバイスは、より効率的ダウンロードのために、コンテンツを複数のクラウドリソースからダウンロードすることができる。いくつかの実施形態では、ユーザ機器デバイスは、図４に関連して説明される処理回路によって行われる処理動作等の処理動作のために、クラウドリソースを使用することができる。
【００８５】
本明細書で参照されるように、用語「〜に応答して」は、「〜の結果として開始される」ことを指す。例えば、第２のアクションに応答して行われている第１のアクションは、第１のアクションと第２のアクションとの間に介在ステップを含んでもよい。本明細書で参照されるように、用語「〜に直接応答して」は、「〜によって引き起こされる」ことを指す。例えば、第２のアクションに直接応答して行われている第１のアクションは、第１のアクションと第２のアクションとの間に介在ステップを含まなくてもよい。
【００８６】
図６は、本開示のいくつかの実施形態による、目的地での制限されたストリーミングメディアへのシームレスなアクセスを確実にするためのプロセスの例証的フローチャートを描写する。プロセス６００は、ステップ６０２から開始し、ユーザ機器１００の制御回路４０４は、ユーザが第１の地理的場所から第２の地理的場所に旅行する予定であることを示す情報を検出するメディアガイダンスアプリケーションを実行する。ユーザ機器１００は、ユーザテレビ機器５０２、ユーザコンピュータ機器５０４、無線ユーザ通信デバイス５０６、またはコンテンツにアクセスするために好適な任意の他のタイプのユーザ機器のいずれかの機能性を備えてもよい。情報は、前述および後述されているように、電子通信１０２から検出されてもよい。
【００８７】
プロセス６００は、ステップ６０４に進んでもよく、そこで、メディアガイダンスアプリケーションは、検出に応答して、ユーザが消費するつもりである複数のストリーミングメディアを示すユーザのプロファイルによって示されるプレイリストにアクセスしてもよい。プレイリストおよびプロファイルは、記憶装置４０８にローカルに、または通信ネットワーク５１４を経由してアクセス可能であるメディアガイダンスデータソース５１８もしくはメディアコンテンツソース５１６に遠く離れて記憶されていてもよい。プレイリストおよびプロファイルは、前述でより詳細に説明されている。
【００８８】
プロセス６００は、ステップ６０６に進んでもよく、そこで、メディアガイダンスアプリケーションは、複数のストリーミングメディアの各ストリーミングメディアに対応するデータをデータベースのエントリと比較することにより、複数のストリーミングメディアの各ストリーミングメディアが第２の地理的場所においてユーザにとってアクセス可能であるかどうかを判定してもよい。データベースは、（通信ネットワーク５１４によってアクセス可能である）メディアコンテンツソース５１６またはメディアガイダンスデータソース５１８であってもよく、前述に説明されるように、コンテンツ制限が存在するかどうか、またはメディアが任意の所与の国において利用可能であるかどうかを示してもよい。データベースは、前述において説明されたように、メディアプロバイダに特有のものであってもよい。
【００８９】
プロセス６００は、ステップ６０８に進んでもよく、そこで、メディアガイダンスアプリケーションは、複数のメディアのサブセットが第２の地理的場所においてユーザにとってアクセス不可能であると判定してもよい。例えば、判定は、ステップ６０６を参照して説明されるように、サブセットがデータベースによって利用不可能であるとして示されることに基づいて行われてもよい。プロセス６００は、ステップ６１０に進んでもよく、そこで、サブセットが第２の地理的場所においてユーザにとってアクセス不可能であると判定したことに応答して、メディアガイダンスアプリケーションは、サブセットの各メディアをダウンロードしてもよい。例えば、メディアガイダンスアプリケーションは、メディアコンテンツソース５１６からユーザ機器１００の記憶装置４０８への通信ネットワーク５１４を経由してサブセットの各メディアをダウンロードしてもよい。
【００９０】
図７は、本開示のいくつかの実施形態による、ユーザが第１の地理的場所から第２の地理的場所に旅行する予定であると判定するためのプロセスの例証的フローチャートを描写する。プロセス７００は、ステップ７０２で開始し、そこで、メディアガイダンスアプリケーションは、ユーザが第１の地理的場所から第２の地理的場所に旅行する予定であることを示す情報を判定するためのプロセス（例えば、ステップ６０２または６０８のためのサブルーチン）を開始する。プロセス７００は、ステップ７０４に進み、そこで、ユーザ機器１００のメディアガイダンスアプリケーションは、ユーザ機器１００のユーザに宛てられた電子通信、例えば、電子通信１０２等を受信する。
【００９１】
プロセス７００は、ステップ７０６に進んでもよく、そこで、メディアガイダンスアプリケーションは、電子通信（例えば、電子通信１０２）のコンテンツが旅行に言及していると判定する。例えば、電子通信１０２等の電子メールは、ユーザは、イタリアのミラノ（例えば、目的地１１０）に旅行する予定であることを示してもよい。本判定は、前述においてさらに詳細に説明されている。プロセス７００は、ステップ７０８に進んでもよく、そこで、メディアガイダンスアプリケーションは、プロファイルに基づいて第１のユーザの自宅住所を識別してもよい。例えば、記憶装置４０８に記憶され得るプロファイルは、第１のユーザの自宅住所を示してもよい。
【００９２】
プロセス７００は、ステップ７１０に進んでもよく、そこで、メディアガイダンスアプリケーションは、電子通信のコンテンツを解析することにより、自宅住所以外の住所を識別してもよい。例えば、自宅住所が、米国のニューヨークにあって、電子通信１０２が、米国のニューヨークおよびイタリアのミラノの両方を示す場合、メディアガイダンスアプリケーションは、イタリアのミラノが自宅住所以外の住所であることから、旅行の目的地であることを習得し得る。したがって、プロセス７００は、ステップ７１２に進んでもよく、そこで、自宅住所以外の住所を識別することに応答して、メディアガイダンスアプリケーションは、第２の地理的場所が自宅住所以外の住所であると判定してもよい。メディアガイダンスアプリケーションは、その後、本明細書に説明される他の機能性を実行することにより、イタリアのミラノにおいて制限されているコンテンツが、ユーザがイタリアのミラノにいる間、ユーザに利用可能であることを確実にしてもよい。
【００９３】
図８は、本開示のいくつかの実施形態による、第２の地理的場所において制限されたメディアのサブセットへの継続したアクセスを確実にするためのプロセスの例証的フローチャートを描写する。プロセス８００は、ステップ８０２で開始し、そこで、ユーザ機器１００の制御回路４０４によって実行されるメディアガイダンスアプリケーションは、第２の地理的場所において、制限されているメディアのサブセットに対する継続したアクセスを確実にするためのプロセスを開始する。プロセス８００は、ステップ８０４に進み、そこで、メディアガイダンスアプリケーションは、複数のストリーミングメディアの各ストリーミングメディアに対応する個別のダウンロード可能ファイルがダウンロードするのに利用可能である個別の場所を識別してもよい。例えば、メディアガイダンスアプリケーションは、ダウンロード可能ファイルがメディアコンテンツソース５１６から利用可能であると判定してもよく、メディアコンテンツソース５１６は、アップルｉＴｕｎｅｓストア等の１つ以上のメディアアセットストアもしくは無料保管場所、またはデジタルメディアの無料ダウンロードもしくは借用を可能にするライブラリのためのデータベースであってもよい。
【００９４】
プロセス８００は、ステップ８０６に進んでもよく、そこで、メディアガイダンスアプリケーションは、個別のダウンロード可能ファイルが購入を要求するかどうかを判定してもよい。個別のダウンロード可能ファイルが購入を要求しない場合、プロセス８００は、ステップ８０８に進んでもよく、そこで、メディアガイダンスアプリケーションは、個別のダウンロード可能ファイルを自動的にダウンロードしてもよい。個別のダウンロード可能ファイルが購入を要求する場合、プロセス８００は、ステップ８１０に進んでもよく、そこで、メディアガイダンスアプリケーションは、（例えば、プロンプト１０６を用いて）、ユーザが個別のダウンロード可能ファイルの購入を認可するかどうかに関してユーザに指示を求めてもよく、またはメディアガイダンスアプリケーションは、前述において説明されたように、所定の設定に基づいて購入を自動的に承認もしくは否認してもよい。
【００９５】
プロセス６００〜８００またはそのうちのどのステップも、図１および４〜５に示されるデバイスのいずれかで行われ、またはそれによって提供され得ることに留意されたい。例えば、プロセス６００〜８００のいずれかは、制限されたメディアへのシームレスなアクセスを確実にするために、ユーザ機器５０２、５０４、および／または５０６（図５）上に実装された制御回路によって命令されるような制御回路４０４（図４）によって実行されてもよい。加えて、プロセス６００〜８００の１つ以上のステップは、任意の他のプロセスまたは実施形態の１つ以上のステップの中に組み込まれてもまたはそれと組み合わせられてもよい。
【００９６】
図６〜８のそれぞれのステップまたは説明は、本開示の任意の他の実施形態とともに使用され得ることが考慮される。加えて、図６〜８に関して記述された説明は、本開示の目的を促進するように、代替的な順序で、または並行して行われてもよい。例えば、これらのステップはそれぞれ、システムまたは方法の遅延を低減させる、もしくは速度を増加させるために、任意の順序で、または並行して、もしくは実質的に同時に行われてもよい。さらに、図１および４〜５に関して議論されるデバイスまたは機器のいずれかは、図６〜８におけるステップのうちの１つ以上のものを行うために使用され得ることに留意されたい。
【００９７】
本発明に関わる方法は、コンピュータ使用可能および／または可読媒体を含むコンピュータプログラム製品内に具現化されてもよいことが、当業者に明白となるであろう。例えば、そのようなコンピュータ使用可能媒体は、そこに記憶されたコンピュータ可読プログラムコードを有しており、読取専用メモリデバイス、例えば、ＣＤ−ＲＯＭディスクもしくは従来のＲＯＭデバイス等、またはランダムアクセスメモリ、例えば、ハードドライブデバイスもしくはコンピュータディスケット等から構成されていてもよい。また、本発明に関わる方法、技術、およびプロセスは、処理回路を用いて実行されてもよいことを理解されたい。例えば、ユーザがある目的地に旅行する予定であると判定することは、例えば、図４の処理回路４０６によって行われてもよい。処理回路は、例えば、ユーザ機器４００、メディアコンテンツソース５１６、またはメディアガイダンスデータソース５１８内の汎用プロセッサ、カスタマイズされた集積回路（例えば、ＡＳＩＣ）、またはフィールドプログラマブルゲートアレイ（ＦＰＧＡ）であってもよい。例えば、プロファイルは、本明細書に説明されるように、図４の記憶装置４０８または図５のメディアガイダンスデータソース５１８内に記憶され、そこから読み出されてもよい。さらに、処理回路またはコンピュータプログラムは、ユーザと関連付けられた設定、例えば、図４の記憶装置４０８または図５のメディアガイダンスデータソース５１８内に記憶されているユーザのダウンロードの好み等を更新してもよい。
【００９８】
前述のプロセスは、例証であることが意図されており、限定することは意図されていない。当業者は、本明細書で議論されるプロセスのステップが、本発明の範囲から逸脱することなく、省略される、修正される、組み合わせられる、および／または並べ替えされてもよく、任意の付加的ステップが、行われてもよいことを理解するであろう。より一般的には、前述の開示は、例示であることが意図されており、限定することは意図されていない。続く請求項のみが、本発明が含むものに関する境界を設定することが意図される。さらに、いずれか１つの実施形態で説明される特徴および制限は、本明細書の任意の他の実施形態に適用され得、一実施形態に関するフローチャートまたは実施例は、好適な様式で任意の他の実施形態と組み合わせられ、異なる順序で行われ、または並行して行われ得ることに留意されたい。加えて、本明細書で説明されるシステムおよび方法は、リアルタイムで行われてもよい。また、上述されたシステムおよび／または方法は、他のシステムならびに／もしくは方法に適用され、またはそれらに従って使用され得ることにも留意されたい。
【００９９】
本開示のいくつかの部分は、「従来」と言及し得るが、そのような言及はどれも、単に、本開示の発明に対するコンテキストを提供する目的のためのものであって、最先端技術を構成するものに関するいかなる承認も形成するものではない。
【図１】
2019531609.tif 000003
【図２】
2019531609.tif 000004
【図３】
2019531609.tif 000005
【図４】
2019531609.tif 000006
【図５】
2019531609.tif 000007
【図６】
2019531609.tif 000008
【図７】
2019531609.tif 000009
【図８】
2019531609.tif 000010
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
方法であって、
ユーザが旅行するつもりである目的地の地理的場所を受信することと、
前記ユーザと関連付けられたプレイリストを受信することであって、前記プレイリストは、１つ以上のメディアアセット識別子を備え、各メディアアセット識別子は、個別のメディアアセットに対応する、ことと、
個別のメディアアセットの各々毎に、（１）前記個別のメディアアセットが前記目的地の地理的場所において消費のためにアクセス不可能であるかどうかと、（２）前記個別のメディアアセットが前記目的地の地理的場所において制限されているかどうかとを自動的に判定することと、
前記判定に基づいて、（１）前記目的地の場所において消費のためにアクセス不可能であり、かつ（２）前記目的地の場所において制限されていない個別のメディアアセットのみを前記ユーザと関連付けられたユーザ機器に自動的にダウンロードすることと
を含む、方法。
【請求項２】
ユーザが旅行するつもりである地理的場所においてアクセス不可能である、プレイリストのストリーミングメディアのコピーを自動的にダウンロードする方法であって、前記方法は、
ユーザが第１の地理的場所から第２の地理的場所に旅行する予定であることを示す情報を検出することと、
前記検出に応答して、前記ユーザが消費するつもりである複数のストリーミングメディアを示す前記ユーザのプロファイルによって示されるプレイリストにアクセスすることと、
前記複数のストリーミングメディアの各ストリーミングメディアに対応するデータをデータベースのエントリと比較することにより、前記複数のストリーミングメディアの各ストリーミングメディアが前記第２の地理的場所において前記ユーザにとってアクセス可能であるかどうか、および前記個々のストリーミングメディアが前記第２の地理的場所において制限されているとして前記データベース内で示されているかどうかを判定することと、
前記比較に基づいて、前記複数のメディアのサブセットが前記第２の地理的場所において前記ユーザにとってアクセス不可能であり、かつ前記第２の地理的場所において制限されていないと判定することと、
前記サブセットが前記第２の地理的場所において前記ユーザにとってアクセス不可能であり、かつ前記第２の地理的場所において制限されていないと判定したことに応答して、前記サブセットの各メディアをダウンロードすることと
を含む、方法。
【請求項３】
前記ユーザが前記第１の地理的場所から前記第２の地理的場所に旅行する予定であることを示す情報を判定することは、
前記ユーザに宛てられた電子通信を受信することと、
前記電子通信のコンテンツが旅行に言及していると判定することと、
前記プロファイルに基づいて、前記ユーザの自宅住所を識別することと、
前記電子通信のコンテンツを解析することにより前記自宅住所以外の住所を識別することと、
前記自宅住所以外の住所を識別したことに応答して前記第２の地理的場所を前記自宅住所以外の住所であると判定することと
を含む、請求項２に記載の方法。
【請求項４】
前記複数のストリーミングメディアは、ストリーミングメディアプロバイダと関連付けられ、前記データベースは、前記ストリーミングメディアプロバイダに対する地理的コンテンツ制限を示す、請求項２に記載の方法。
【請求項５】
前記複数のストリーミングメディアは、ストリーミングメディアプロバイダと関連付けられ、前記データベースは、前記ストリーミングメディアプロバイダから所与の地理的場所において利用可能であるコンテンツを示し、前記複数のメディアの前記サブセットが前記第２の地理的場所において前記ユーザにとってアクセス不可能であると判定することは、前記サブセットのメディアが前記第２の地理的場所において利用不可能として前記データベース内で示されていることを識別することを含む、請求項２に記載の方法。
【請求項６】
前記サブセットの各メディアをダウンロードすることは、
前記ユーザが所有する前記ユーザと共に移動する複数のユーザ機器のうちの最も適切なユーザ機器を識別することと、
前記サブセットの各メディアを前記最も適切なユーザ機器にダウンロードすることと
を含む、請求項２に記載の方法。
【請求項７】
前記サブセットの各メディアをダウンロードすることは、
設定に基づいて、前記サブセットの各メディアをダウンロードするために、前記ユーザが所有する複数のユーザ機器のうちの１つのユーザ機器を判定することと、
前記サブセットの各メディアを前記ユーザ機器にダウンロードすることと
を含む、請求項２に記載の方法。
【請求項８】
前記ユーザ機器は、前記サブセットの各メディアを記憶するのに十分な容量を有しておらず、前記方法は、前記プロファイルに示される好みに基づいて、記憶するための前記サブセットの部分を自動的に選択することをさらに含む、請求項７に記載の方法。
【請求項９】
前記ユーザ機器は、前記サブセットの各メディアを記憶するのに十分な容量を有しておらず、前記方法は、
前記ユーザ機器が前記サブセットの各メディアを記憶するのに十分な容量を有していないことを示す前記ユーザへのアラートを表示のために生成することと、
記憶するための前記サブセットの部分の選択を前記ユーザから受信することと、
前記選択を受信したことに応答して前記サブセットの部分をダウンロードすることと
をさらに含む、請求項７に記載の方法。
【請求項１０】
前記方法は、前記サブセットが前記第２の地理的場所において前記ユーザにとってアクセス不可能であると判定したことに応答して、
前記複数のストリーミングメディアの各ストリーミングメディアに対応する個別のダウンロード可能ファイルがダウンロードするために利用可能である個別の場所を識別し、
前記ダウンロード可能ファイルが金銭の支払を伴わずに利用可能である場合、前記個別のダウンロード可能ファイルを自動的にダウンロードする
ことをさらに含む、請求項２に記載の方法。
【請求項１１】
個別のダウンロード可能ファイルが購入を要求するかどうかを判定することと、
前記個別のダウンロード可能ファイルが購入を要求すると判定したことに応答して、前記ユーザが前記個別のダウンロード可能ファイルの購入を認可するかどうかに関して前記ユーザに指示を求めることと
をさらに含む、請求項１０に記載の方法。
【請求項１２】
ユーザが旅行するつもりである地理的場所においてアクセス不可能である、プレイリストのストリーミングメディアのコピーを自動的にダウンロードするシステムであって、前記システムは、
記憶回路と、
通信回路と、
制御回路であって、
ユーザが第１の地理的場所から第２の地理的場所に旅行する予定であることを示す情報を検出し、
前記検出に応答して、前記ユーザが消費するつもりである複数のストリーミングメディアを示す前記ユーザのプロファイルによって示されるプレイリストに前記通信回路を使用してアクセスし、
前記複数のストリーミングメディアの各ストリーミングメディアに対応するデータをデータベースのエントリと比較することにより、前記複数のストリーミングメディアの各ストリーミングメディアが前記第２の地理的場所において前記ユーザにとってアクセス可能であるかどうか、および前記個々のストリーミングメディアが前記第２の地理的場所において制限されているとして前記データベース内で示されているかどうかを判定し、
前記複数のメディアのサブセットが前記第２の地理的場所において前記ユーザにとってアクセス不可能であり、かつ前記第２の地理的場所において制限されていないと判定し、
前記サブセットが前記第２の地理的場所において前記ユーザにとってアクセス不可能であり、かつ前記第２の地理的場所において制限されていないと判定したことに応答して、前記通信回路を使用して前記サブセットの各メディアを前記記憶回路にダウンロードする
ように構成された制御回路と
を備える、システム。
【請求項１３】
前記制御回路は、前記ユーザが前記第１の地理的場所から前記第２の地理的場所に旅行する予定であることを示す情報を判定するとき、
前記ユーザに宛てられた電子通信を受信し、
前記電子通信のコンテンツが旅行に言及していると判定し、
前記プロファイルに基づいて前記ユーザの自宅住所を識別し、
前記電子通信のコンテンツを解析することにより前記自宅住所以外の住所を識別し、
前記自宅住所以外の住所を識別したことに応答して前記第２の地理的場所を前記自宅住所以外の住所であると判定する
ようにさらに構成される、請求項１２に記載のシステム。
【請求項１４】
前記複数のストリーミングメディアは、ストリーミングメディアプロバイダと関連付けられ、前記データベースは、前記ストリーミングメディアプロバイダに対する地理的コンテンツ制限を示す、請求項１２に記載のシステム。
【請求項１５】
前記複数のストリーミングメディアは、ストリーミングメディアプロバイダと関連付けられ、前記データベースは、前記ストリーミングメディアプロバイダから所与の地理的場所において利用可能なコンテンツを示し、前記制御回路は、前記複数のメディアのサブセットが前記第２の地理的場所において前記ユーザにとってアクセス不可能であると判定するとき、前記サブセットのメディアが前記第２の地理的場所において利用不可能として前記データベース内で示されていることを識別するようにさらに構成されている、請求項１２に記載のシステム。
【請求項１６】
前記制御回路は、前記サブセットの各メディアをダウンロードするとき、
前記ユーザが所有する前記ユーザと共に移動する複数のユーザ機器の最も好適なユーザ機器を識別し、
前記サブセットの各メディアを前記最も好適なユーザ機器にダウンロードする
ようにさらに構成されている、請求項１２に記載のシステム。
【請求項１７】
前記制御回路は、前記サブセットの各メディアをダウンロードするとき、
設定に基づいて、前記サブセットの各メディアをダウンロードするために、前記ユーザが所有する複数のユーザ機器のうちの１つのユーザ機器を判定し、
前記サブセットの各メディアを前記ユーザ機器にダウンロードする
ようにさらに構成されている、請求項１２に記載のシステム。
【請求項１８】
前記ユーザ機器は、前記サブセットの各メディアを記憶するのに十分な容量を有しておらず、前記制御回路は、前記プロファイルに示される好みに基づいて、記憶するための前記サブセットの部分を自動的に選択するようにさらに構成されている、請求項１７に記載のシステム。
【請求項１９】
前記ユーザ機器は、前記サブセットの各メディアを記憶するのに十分な容量を有しておらず、前記制御回路は、
前記ユーザ機器が前記サブセットの各メディアを記憶するのに十分な容量を有していないことを示す前記ユーザへのアラートを表示のために生成し、
記憶するための前記サブセットの部分の選択を前記ユーザから受信し、
前記選択を受信したことに応答して前記サブセットの部分をダウンロードする
ようにさらに構成されている、請求項１７に記載のシステム。
【請求項２０】
前記制御回路は、前記サブセットが前記第２の地理的場所において前記ユーザにとってアクセス不可能であると判定したことに応答して、
前記複数のストリーミングメディアの各ストリーミングメディアに対応する個別のダウンロード可能ファイルがダウンロードするために利用可能である個別の場所を識別し、
前記ダウンロード可能ファイルが金銭の支払を伴わずに利用可能である場合、前記個別のダウンロード可能ファイルを自動的にダウンロードする
ようにさらに構成されている、請求項１２に記載のシステム。
【請求項２１】
前記制御回路は、
個別のダウンロード可能ファイルが購入を要求するかどうかを判定し、
前記個別のダウンロード可能ファイルが購入を要求すると判定したことに応答して、前記ユーザが前記個別のダウンロード可能ファイルの購入を認可するかどうかに関して前記ユーザに指示を求めるようにさらに構成されている、請求項２０に記載のシステム。
【請求項２２】
ユーザが旅行するつもりである地理的場所においてアクセス不可能である、プレイリストのストリーミングメディアのコピーを自動的にダウンロードするシステムであって、前記システムは、
ユーザが第１の地理的場所から第２の地理的場所に旅行する予定であることを示す情報を検出する手段と、
前記検出に応答して、前記ユーザが消費するつもりである複数のストリーミングメディアを示す前記ユーザのプロファイルによって示されるプレイリストにアクセスする手段と、
前記複数のストリーミングメディアの各ストリーミングメディアに対応するデータをデータベースのエントリと比較することにより、前記複数のストリーミングメディアの各ストリーミングメディアが前記ユーザにとって前記第２の地理的場所においてアクセス可能であるかどうか、および前記個々のストリーミングメディアが前記第２の地理的場所において制限されているとして前記データベース内で示されているかどうかを判定する手段と、
前記複数のメディアのサブセットが前記第２の地理的場所において前記ユーザにとってアクセス不可能であり、かつ前記第２の地理的場所において制限されていないと判定する手段と、
前記サブセットが前記第２の地理的場所において前記ユーザにとってアクセス不可能であり、かつ前記第２の地理的場所において制限されていないと判定したことに応答して、前記サブセットの各メディアをダウンロードする手段と
を備える、システム。
【請求項２３】
前記ユーザが前記第１の地理的場所から前記第２の地理的場所に旅行する予定であることを示す情報を判定する手段は、
前記ユーザに宛てられた電子通信を受信する手段と、
前記電子通信のコンテンツが旅行に言及していると判定する手段と、
前記プロファイルに基づいて前記ユーザの自宅住所を識別する手段と、
前記電子通信のコンテンツを解析することにより、前記自宅住所以外の住所を識別する手段と、
前記自宅住所以外の住所を識別したことに応答して前記第２の地理的場所を前記自宅住所以外の住所であると判定する手段と
を備える、請求項２２に記載のシステム。
【請求項２４】
前記複数のストリーミングメディアは、ストリーミングメディアプロバイダと関連付けられ、前記データベースは、前記ストリーミングメディアプロバイダに対する地理的コンテンツ制限を示す、請求項２２に記載のシステム。
【請求項２５】
前記複数のストリーミングメディアは、ストリーミングメディアプロバイダと関連付けられ、前記データベースは、前記ストリーミングメディアプロバイダから所与の地理的場所において利用可能なコンテンツを示し、前記複数のメディアのサブセットが前記第２の地理的場所において前記ユーザにとってアクセス不可能であると判定する手段は、前記サブセットのメディアが前記第２の地理的場所において利用不可能として前記データベース内で示されることを識別する手段を備える、請求項２２に記載のシステム。
【請求項２６】
前記サブセットの各メディアをダウンロードするための手段は、
前記ユーザが所有する前記ユーザと共に移動する複数のユーザ機器のうちの最も適切なユーザ機器を識別する手段と、
前記サブセットの各メディアを前記最も適切なユーザ機器にダウンロードする手段と
を備える、請求項２２に記載のシステム。
【請求項２７】
前記サブセットの各メディアをダウンロードする手段は、
設定に基づいて、前記サブセットの各メディアをダウンロードするために、前記ユーザが所有する複数のユーザ機器のうちの１つのユーザ機器を判定する手段と、
前記サブセットの各メディアを前記ユーザ機器にダウンロードする手段と
を備える、請求項２２に記載のシステム。
【請求項２８】
前記ユーザ機器は、前記サブセットの各メディアを記憶するのに十分な容量を有しておらず、前記システムは、前記プロファイルに示される好みに基づいて、記憶するための前記サブセットの部分を自動的に選択する手段をさらに備える、請求項２７に記載のシステム。
【請求項２９】
前記ユーザ機器は、前記サブセットの各メディアを記憶するのに十分な容量を有しておらず、前記システムはさらに、
前記ユーザ機器が前記サブセットの各メディアを記憶するのに十分な容量を有していないことを示す前記ユーザへのアラートを表示のために生成する手段と、
記憶するための前記サブセットの部分の選択を前記ユーザから受信する手段と、
前記選択を受信したことに応答して前記サブセットの部分をダウンロードする手段と
を備える、請求項２７に記載のシステム。
【請求項３０】
前記システムは、
前記サブセットが前記第２の地理的場所において前記ユーザにとってアクセス不可能であると判定したことに応答して、
前記複数のストリーミングメディアの各ストリーミングメディアに対応する個別のダウンロード可能ファイルが、ダウンロードするために利用可能である個別の場所を識別し、
前記ダウンロード可能ファイルが金銭の支払を伴わずに利用可能である場合、前記個別のダウンロード可能ファイルを自動的にダウンロードする
手段をさらに備える、請求項２２に記載のシステム。
【請求項３１】
個別のダウンロード可能ファイルが購入を要求するかどうかを判定する手段と、
前記個別のダウンロード可能ファイルが購入を要求すると判定したことに応答して、前記ユーザが前記個別のダウンロード可能ファイルの購入を認可するかどうかに関して前記ユーザに指示を求める手段と
をさらに備える、請求項３０に記載のシステム。
【請求項３２】
ユーザが旅行することを意図する地理的場所においてアクセス不可能である、プレイリストのストリーミングメディアのコピーを自動的にダウンロードする方法であって、
ユーザが第１の地理的場所から第２の地理的場所に旅行する予定であることを示す情報を制御回路を使用して検出することと、
前記検出に応答して、前記ユーザが消費するつもりである複数のストリーミングメディアを示す前記ユーザのプロファイルによって示されるプレイリストにアクセスすることと、
前記複数のストリーミングメディアの各ストリーミングメディアに対応するデータをデータベースと比較することにより、前記複数のストリーミングメディアの各ストリーミングメディアが前記ユーザにとって前記第２の地理的場所においてアクセス可能であるかどうか、および前記個々のストリーミングメディアが前記第２の地理的場所において制限されているとして前記データベース内で示されているかどうかを判定することと、
前記複数のメディアのサブセットが前記第２の地理的場所において前記ユーザにとってアクセス不可能であり、かつ前記第２の地理的場所において制限されていないと判定することと、
前記サブセットが前記第２の地理的場所において前記ユーザにとってアクセス不可能であり、かつ前記第２の地理的場所において制限されていないと判定したことに応答して、前記サブセットの各メディアをダウンロードすることと、
を含む、方法。
【請求項３３】
前記ユーザが前記第１の地理的場所から前記第２の地理的場所に旅行する予定であることを示す情報を判定することは、
前記ユーザに宛てられた電子通信を受信することと、
前記電子通信のコンテンツが旅行に言及していると判定することと、
前記プロファイルに基づいて前記ユーザの自宅住所を識別することと、
前記電子通信のコンテンツを解析することにより、前記自宅住所以外の住所を識別することと、
前記自宅住所以外の住所を識別したことに応答して前記第２の地理的場所を前記自宅住所以外の住所であると判定することと
を含む、請求項３２に記載の方法。
【請求項３４】
前記複数のストリーミングメディアは、ストリーミングメディアプロバイダと関連付けられ、前記データベースは、前記ストリーミングメディアプロバイダに対する地理的コンテンツ制限を示す、請求項３２または３３のいずれかに記載の方法。
【請求項３５】
前記複数のストリーミングメディアは、ストリーミングメディアプロバイダと関連付けられ、前記データベースは、前記ストリーミングメディアプロバイダから所与の地理的場所において利用可能なコンテンツを示し、前記複数のメディアのサブセットが前記第２の地理的場所において前記ユーザにとってアクセス不可能であると判定することは、前記サブセットのメディアが前記第２の地理的場所において利用不可能として前記データベース内で示されていることを識別することを含む、請求項３２〜３３のいずれかに記載の方法。
【請求項３６】
前記サブセットの各メディアをダウンロードすることは、
前記ユーザが所有する前記ユーザと共に移動する複数のユーザ機器のうちの最も適切なユーザ機器を識別することと、
前記サブセットの各メディアを前記最も適切なユーザ機器にダウンロードすることと
を含む、請求項３２〜３５のいずれかに記載の方法。
【請求項３７】
前記サブセットの各メディアをダウンロードすることは、
設定に基づいて、前記サブセットの各メディアをダウンロードするために、前記ユーザが所有する複数のユーザ機器のうちの１つのユーザ機器を判定することと、
前記サブセットの各メディアを前記ユーザ機器にダウンロードすることと
を含む、請求項３２〜３６のいずれかに記載の方法。
【請求項３８】
前記ユーザ機器は、前記サブセットの各メディアを記憶するのに十分な容量を有しておらず、前記方法は、前記プロファイルに示される好みに基づいて、記憶するための前記サブセットの部分を自動的に選択することをさらに含む、請求項３７に記載の方法。
【請求項３９】
前記ユーザ機器は、前記サブセットの各メディアを記憶するのに十分な容量を有しておらず、前記方法は、
前記ユーザ機器が前記サブセットの各メディアを記憶するのに十分な容量を有していないことを示す前記ユーザへのアラートを表示のために生成することと、
記憶するための前記サブセットの部分の選択を前記ユーザから受信することと、
前記選択を受信したことに応答して前記サブセットの部分をダウンロードすることと
を含む、請求項３７に記載の方法。
【請求項４０】
前記方法は、前記サブセットが前記第２の地理的場所において前記ユーザにとってアクセス不可能であると判定したことにさらに応答して、
前記複数のストリーミングメディアの各ストリーミングメディアに対応する個別のダウンロード可能ファイルがダウンロードするために利用可能である個別の場所を識別し、
前記ダウンロード可能ファイルが金銭の支払を伴わずに利用可能である場合、前記個別のダウンロード可能ファイルを自動的にダウンロードする
ことをさらに含む、請求項３２〜３９のいずれかに記載の方法。
【請求項４１】
個別のダウンロード可能ファイルが購入を要求するかどうかを判定することと、
前記個別のダウンロード可能ファイルが購入を要求すると判定したことに応答して、前記ユーザが前記個別のダウンロード可能ファイルの購入を認可するかどうかに関して前記ユーザに指示を求めることと
をさらに含む、請求項４０に記載の方法。
【請求項４２】
メモリを備えた非一過性機械可読媒体であって、前記メモリには、ユーザが旅行するつもりである地理的場所においてアクセス不可能である、プレイリストのストリーミングメディアのコピーを自動的にダウンロードするための命令がエンコードされており、前記命令は、
ユーザが第１の地理的場所から第２の地理的場所に旅行する予定であることを示す情報を検出するための命令と、
前記検出に応答して、前記ユーザが消費するつもりである複数のストリーミングメディアを示す前記ユーザのプロファイルによって示される、プレイリストにアクセスするための命令と、
前記複数のストリーミングメディアの各ストリーミングメディアに対応するデータをデータベースと比較することにより、前記複数のストリーミングメディアの各ストリーミングメディアが前記ユーザにとって前記第２の地理的場所においてアクセス可能であるかどうか、および前記個々のストリーミングメディアが前記第２の地理的場所において制限されているとして前記データベース内で示されているかどうかを判定するための命令と、
前記複数のメディアのサブセットが前記第２の地理的場所において前記ユーザにとってアクセス不可能であり、かつ前記第２の地理的場所において制限されていないと判定するための命令と、
前記サブセットが前記第２の地理的場所において前記ユーザにとってアクセス不可能であり、かつ前記第２の地理的場所において制限されていないと判定したことに応答して、前記サブセットの各メディアをダウンロードするための命令と
を備える、非一過性機械可読媒体。
【請求項４３】
前記ユーザが前記第１の地理的場所から前記第２の地理的場所に旅行する予定であることを示す情報を判定するための命令は、
前記ユーザに宛てられた電子通信を受信するための命令と、
前記電子通信のコンテンツが旅行に言及していると判定するための命令と、
前記プロファイルに基づいて前記ユーザの自宅住所を識別するための命令と、
前記電子通信のコンテンツを解析することにより、前記自宅住所以外の住所を識別するための命令と、
前記自宅住所以外の住所を識別したことに応答して前記第２の地理的場所を前記自宅住所以外の住所であると判定するための命令と
を備える、請求項４２に記載の非一過性機械可読媒体。
【請求項４４】
前記複数のストリーミングメディアは、ストリーミングメディアプロバイダと関連付けられ、前記データベースは、前記ストリーミングメディアプロバイダに対する地理的コンテンツ制限を示す、請求項４２に記載の非一過性機械可読媒体。
【請求項４５】
前記複数のストリーミングメディアは、ストリーミングメディアプロバイダと関連付けられ、前記データベースは、前記ストリーミングメディアプロバイダから所与の地理的場所において利用可能なコンテンツを示し、前記複数のメディアのサブセットが前記第２の地理的場所において前記ユーザにとってアクセス不可能であると判定するための命令は、前記サブセットのメディアが前記第２の地理的場所において利用不可能として前記データベース内で示されていることを識別するための命令を備える、請求項４２に記載の非一過性機械可読媒体。
【請求項４６】
前記サブセットの各メディアをダウンロードするための命令は、
前記ユーザが所有する前記ユーザと共に移動する複数のユーザ機器のうちの最も適切なユーザ機器を識別するための命令と、
前記サブセットの各メディアを前記最も適切なユーザ機器にダウンロードするための命令と
を備える、請求項４２に記載の非一過性機械可読媒体。
【請求項４７】
前記サブセットの各メディアをダウンロードするための命令は、
設定に基づいて、前記サブセットの各メディアをダウンロードするために前記ユーザが所有する複数のユーザ機器のうちの１つのユーザ機器を判定するための命令と、
前記サブセットの各メディアを前記ユーザ機器にダウンロードするための命令と
を備える、請求項４２に記載の非一過性機械可読媒体。
【請求項４８】
前記ユーザ機器は、前記サブセットの各メディアを記憶するのに十分な容量を有しておらず、前記命令は、前記プロファイルに示される好みに基づいて、記憶するための前記サブセットの部分を自動的に選択するための命令をさらに備える、請求項４７に記載の非一過性機械可読媒体。
【請求項４９】
前記ユーザ機器は、前記サブセットの各メディアを記憶するのに十分な容量を有しておらず、前記命令は、
前記ユーザ機器が前記サブセットの各メディアを記憶するのに十分な容量を有していないことを示す前記ユーザへのアラートを表示のために生成するための命令と、
記憶するための前記サブセットの部分の選択を前記ユーザから受信するための命令と、
前記選択を受信したことに応答して前記サブセットの部分をダウンロードするための命令と
をさらに備える、請求項４７に記載の非一過性機械可読媒体。
【請求項５０】
前記命令は、前記サブセットが前記第２の地理的場所において前記ユーザにとってアクセス不可能であると判定したことに応答して、
前記複数のストリーミングメディアの各ストリーミングメディアに対応する個別のダウンロード可能ファイルがダウンロードするために利用可能な個別の場所を識別し、
前記ダウンロード可能ファイルが金銭の支払を伴わずに利用可能である場合、前記個別のダウンロード可能ファイルを自動的にダウンロードする
ための命令をさらに備える、請求項４２に記載の非一過性機械可読媒体。
【請求項５１】
前記命令は、
個別のダウンロード可能ファイルが購入を要求するかどうかを判定するための命令と、
前記個別のダウンロード可能ファイルが購入を要求すると判定したことに応答して、前記ユーザが前記個別のダウンロード可能ファイルの購入を認可するかどうかに関して前記ユーザに指示を求めるための命令と
をさらに備える、請求項５０に記載の非一過性機械可読媒体。
【手続補正２】
【補正対象書類名】明細書
【補正対象項目名】００１７
【補正方法】変更
【補正の内容】
【００１７】
いくつかの実施形態では、メディアガイダンスアプリケーションは、ユーザが旅行するつもりである目的地の地理的場所を受信し、ユーザと関連付けられたプレイリストを受信してもよく、プレイリストは、１つ以上のメディアアセット識別子を備え、各メディアアセット識別子は、個別のメディアアセットに対応する。メディアガイダンスアプリケーションは、個別のメディアアセットの各々毎に、（１）個別のメディアアセットが目的地の地理的場所において（例えば、ライセンス制限に起因して）消費のためにアクセス不可能であるかどうかと、（２）個別のメディアアセットが目的地の地理的場所において（例えば、その国においてコンテンツが違法であることに起因して）制限されているかどうかとを自動的に判定し、次に、判定に基づいて、（１）目的地場所において消費のためにアクセス不可能であり、かつ（２）目的地場所において制限されていない個別のメディアアセットのみを自動的にダウンロードしてもよい。
本願発明は、例えば、以下の項目を提供する。
（項目１）
方法であって、
ユーザが旅行するつもりである目的地の地理的場所を受信することと、
前記ユーザと関連付けられたプレイリストを受信することであって、前記プレイリストは、１つ以上のメディアアセット識別子を備え、各メディアアセット識別子は、個別のメディアアセットに対応する、ことと、
個別のメディアアセットの各々毎に、（１）前記個別のメディアアセットが前記目的地の地理的場所において消費のためにアクセス不可能であるかどうかと、（２）前記個別のメディアアセットが前記目的地の地理的場所において制限されているかどうかとを自動的に判定することと、
前記判定に基づいて、（１）前記目的地の場所において消費のためにアクセス不可能であり、かつ（２）前記目的地の場所において制限されていない個別のメディアアセットのみを前記ユーザと関連付けられたユーザ機器に自動的にダウンロードすることと
を含む、方法。
（項目２）
ユーザが旅行するつもりである地理的場所においてアクセス不可能である、プレイリストのストリーミングメディアのコピーを自動的にダウンロードする方法であって、前記方法は、
ユーザが第１の地理的場所から第２の地理的場所に旅行する予定であることを示す情報を検出することと、
前記検出に応答して、前記ユーザが消費するつもりである複数のストリーミングメディアを示す前記ユーザのプロファイルによって示されるプレイリストにアクセスすることと、
前記複数のストリーミングメディアの各ストリーミングメディアに対応するデータをデータベースのエントリと比較することにより、前記複数のストリーミングメディアの各ストリーミングメディアが前記第２の地理的場所において前記ユーザにとってアクセス可能であるかどうかを判定することと、
前記比較に基づいて、前記複数のメディアのサブセットが前記第２の地理的場所において前記ユーザにとってアクセス不可能であると判定することと、
前記サブセットが前記第２の地理的場所において前記ユーザにとってアクセス不可能であると判定したことに応答して、前記サブセットの各メディアをダウンロードすることと
を含む、方法。
（項目３）
前記ユーザが前記第１の地理的場所から前記第２の地理的場所に旅行する予定であることを示す情報を判定することは、
前記ユーザに宛てられた電子通信を受信することと、
前記電子通信のコンテンツが旅行に言及していると判定することと、
前記プロファイルに基づいて、前記第１のユーザの自宅住所を識別することと、
前記電子通信のコンテンツを解析することにより前記自宅住所以外の住所を識別することと、
前記自宅住所以外の住所を識別したことに応答して前記第２の地理的場所を前記自宅住所以外の住所であると判定することと
を含む、項目２に記載の方法。
（項目４）
前記複数のストリーミングメディアは、ストリーミングメディアプロバイダと関連付けられ、前記データベースは、前記ストリーミングメディアプロバイダに対する地理的コンテンツ制限を示し、前記複数のメディアのサブセットが前記第２の地理的場所において前記ユーザにとってアクセス不可能であると判定することは、前記サブセットのメディアが前記第２の地理的場所において制限されているとして前記データベース内で示されていることを識別することを含む、項目２に記載の方法。
（項目５）
前記複数のストリーミングメディアは、ストリーミングメディアプロバイダと関連付けられ、前記データベースは、前記ストリーミングメディアプロバイダから所与の地理的場所において利用可能であるコンテンツを示し、前記複数のメディアの前記サブセットが前記第２の地理的場所において前記ユーザにとってアクセス不可能であると判定することは、前記サブセットのメディアが前記第２の地理的場所において利用不可能として前記データベース内で示されていることを識別することを含む、項目２に記載の方法。
（項目６）
前記サブセットの各メディアをダウンロードすることは、
前記ユーザが所有する前記ユーザと共に移動する複数のユーザ機器のうちの最も適切なユーザ機器を識別することと、
前記サブセットの各メディアを前記最も適切なユーザ機器にダウンロードすることと
を含む、項目２に記載の方法。
（項目７）
前記サブセットの各メディアをダウンロードすることは、
設定に基づいて、前記サブセットの各メディアをダウンロードするために、前記ユーザが所有する複数のユーザ機器のうちの１つのユーザ機器を判定することと、
前記サブセットの各メディアを前記ユーザ機器にダウンロードすることと
を含む、項目２に記載の方法。
（項目８）
前記ユーザ機器は、前記サブセットの各メディアを記憶するのに十分な容量を有しておらず、前記方法は、前記プロファイルに示される好みに基づいて、記憶するための前記サブセットの部分を自動的に選択することをさらに含む、項目７に記載の方法。
（項目９）
前記ユーザ機器は、前記サブセットの各メディアを記憶するのに十分な容量を有しておらず、前記方法は、
前記ユーザ機器が前記サブセットの各メディアを記憶するのに十分な容量を有していないことを示す前記ユーザへのアラートを表示のために生成することと、
記憶するための前記サブセットの部分の選択を前記ユーザから受信することと、
前記選択を受信したことに応答して前記サブセットの部分をダウンロードすることと
をさらに含む、項目７に記載の方法。
（項目１０）
前記方法は、前記サブセットが前記第２の地理的場所において前記ユーザにとってアクセス不可能であると判定したことに応答して、
前記複数のストリーミングメディアの各ストリーミングメディアに対応する個別のダウンロード可能ファイルがダウンロードするために利用可能である個別の場所を識別し、
前記ダウンロード可能ファイルが金銭の支払を伴わずに利用可能である場合、前記個別のダウンロード可能ファイルを自動的にダウンロードする
ことをさらに含む、項目２に記載の方法。
（項目１１）
個別のダウンロード可能ファイルが購入を要求するかどうかを判定することと、
前記個別のダウンロード可能ファイルが購入を要求すると判定したことに応答して、前記ユーザが前記個別のダウンロード可能ファイルの購入を認可するかどうかに関して前記ユーザに指示を求めることと
をさらに含む、項目１０に記載の方法。
（項目１２）
ユーザが旅行するつもりである地理的場所においてアクセス不可能である、プレイリストのストリーミングメディアのコピーを自動的にダウンロードするシステムであって、前記システムは、
記憶回路と、
通信回路と、
制御回路であって、
ユーザが第１の地理的場所から第２の地理的場所に旅行する予定であることを示す情報を検出し、
前記検出に応答して、前記ユーザが消費するつもりである複数のストリーミングメディアを示す前記ユーザのプロファイルによって示されるプレイリストに前記通信回路を使用してアクセスし、
前記複数のストリーミングメディアの各ストリーミングメディアに対応するデータをデータベースのエントリと比較することにより、前記複数のストリーミングメディアの各ストリーミングメディアが前記第２の地理的場所において前記ユーザにとってアクセス可能であるかどうかを判定し、
前記複数のメディアのサブセットが前記第２の地理的場所において前記ユーザにとってアクセス不可能であると判定し、
前記サブセットが前記第２の地理的場所において前記ユーザにとってアクセス不可能であると判定したことに応答して、前記通信回路を使用して前記サブセットの各メディアを前記記憶回路にダウンロードする
ように構成された制御回路と
を備える、システム。
（項目１３）
前記制御回路は、前記ユーザが前記第１の地理的場所から前記第２の地理的場所に旅行する予定であることを示す情報を判定するとき、
前記ユーザに宛てられた電子通信を受信し、
前記電子通信のコンテンツが旅行に言及していると判定し、
前記プロファイルに基づいて前記第１のユーザの自宅住所を識別し、
前記電子通信のコンテンツを解析することにより前記自宅住所以外の住所を識別し、
前記自宅住所以外の住所を識別したことに応答して前記第２の地理的場所を前記自宅住所以外の住所であると判定する
ようにさらに構成される、項目１２に記載のシステム。
（項目１４）
前記複数のストリーミングメディアは、ストリーミングメディアプロバイダと関連付けられ、前記データベースは、前記ストリーミングメディアプロバイダに対する地理的コンテンツ制限を示し、前記制御回路は、前記複数のメディアのサブセットが前記第２の地理的場所において前記ユーザにとってアクセス不可能であると判定するとき、前記サブセットのメディアが前記第２の地理的場所において制限されているとして前記データベース内で示されていることを識別するようにさらに構成されている、項目１２に記載のシステム。
（項目１５）
前記複数のストリーミングメディアは、ストリーミングメディアプロバイダと関連付けられ、前記データベースは、前記ストリーミングメディアプロバイダから所与の地理的場所において利用可能なコンテンツを示し、前記制御回路は、前記複数のメディアのサブセットが前記第２の地理的場所において前記ユーザにとってアクセス不可能であると判定するとき、前記サブセットのメディアが前記第２の地理的場所において利用不可能として前記データベース内で示されていることを識別するようにさらに構成されている、項目１２に記載のシステム。
（項目１６）
前記制御回路は、前記サブセットの各メディアをダウンロードするとき、
前記ユーザが所有する前記ユーザと共に移動する複数のユーザ機器の最も好適なユーザ機器を識別し、
前記サブセットの各メディアを前記最も好適なユーザ機器にダウンロードする
ようにさらに構成されている、項目１２に記載のシステム。
（項目１７）
前記制御回路は、前記サブセットの各メディアをダウンロードするとき、
設定に基づいて、前記サブセットの各メディアをダウンロードするために、前記ユーザが所有する複数のユーザ機器のうちの１つのユーザ機器を判定し、
前記サブセットの各メディアを前記ユーザ機器にダウンロードする
ようにさらに構成されている、項目１２に記載のシステム。
（項目１８）
前記ユーザ機器は、前記サブセットの各メディアを記憶するのに十分な容量を有しておらず、前記制御回路は、前記プロファイルに示される好みに基づいて、記憶するための前記サブセットの部分を自動的に選択するようにさらに構成されている、項目１７に記載のシステム。
（項目１９）
前記ユーザ機器は、前記サブセットの各メディアを記憶するのに十分な容量を有しておらず、前記制御回路は、
前記ユーザ機器が前記サブセットの各メディアを記憶するのに十分な容量を有していないことを示す前記ユーザへのアラートを表示のために生成し、
記憶するための前記サブセットの部分の選択を前記ユーザから受信し、
前記選択を受信したことに応答して前記サブセットの部分をダウンロードする
ようにさらに構成されている、項目１７に記載のシステム。
（項目２０）
前記制御回路は、前記サブセットが前記第２の地理的場所において前記ユーザにとってアクセス不可能であると判定したことに応答して、
前記複数のストリーミングメディアの各ストリーミングメディアに対応する個別のダウンロード可能ファイルがダウンロードするために利用可能である個別の場所を識別し、
前記ダウンロード可能ファイルが金銭の支払を伴わずに利用可能である場合、前記個別のダウンロード可能ファイルを自動的にダウンロードする
ようにさらに構成されている、項目１２に記載のシステム。
（項目２１）
前記制御回路は、
個別のダウンロード可能ファイルが購入を要求するかどうかを判定し、
前記個別のダウンロード可能ファイルが購入を要求すると判定したことに応答して、前記ユーザが前記個別のダウンロード可能ファイルの購入を認可するかどうかに関して前記ユーザに指示を求めるようにさらに構成されている、項目２０に記載のシステム。
（項目２２）
ユーザが旅行するつもりである地理的場所においてアクセス不可能である、プレイリストのストリーミングメディアのコピーを自動的にダウンロードするシステムであって、前記システムは、
ユーザが第１の地理的場所から第２の地理的場所に旅行する予定であることを示す情報を検出する手段と、
前記検出に応答して、前記ユーザが消費するつもりである複数のストリーミングメディアを示す前記ユーザのプロファイルによって示されるプレイリストにアクセスする手段と、
前記複数のストリーミングメディアの各ストリーミングメディアに対応するデータをデータベースのエントリと比較することにより、前記複数のストリーミングメディアの各ストリーミングメディアが前記ユーザにとって前記第２の地理的場所においてアクセス可能であるかどうかを判定する手段と、
前記複数のメディアのサブセットが前記第２の地理的場所において前記ユーザにとってアクセス不可能であると判定する手段と、
前記サブセットが前記第２の地理的場所において前記ユーザにとってアクセス不可能であると判定したことに応答して、前記サブセットの各メディアをダウンロードする手段と
を備える、システム。
（項目２３）
前記ユーザが前記第１の地理的場所から前記第２の地理的場所に旅行する予定であることを示す情報を判定する手段は、
前記ユーザに宛てられた電子通信を受信する手段と、
前記電子通信のコンテンツが旅行に言及していると判定する手段と、
前記プロファイルに基づいて前記第１のユーザの自宅住所を識別する手段と、
前記電子通信のコンテンツを解析することにより、前記自宅住所以外の住所を識別する手段と、
前記自宅住所以外の住所を識別したことに応答して前記第２の地理的場所を前記自宅住所以外の住所であると判定する手段と
を備える、項目２２に記載のシステム。
（項目２４）
前記複数のストリーミングメディアは、ストリーミングメディアプロバイダと関連付けられ、前記データベースは、前記ストリーミングメディアプロバイダに対する地理的コンテンツ制限を示し、前記複数のメディアのサブセットが前記第２の地理的場所において前記ユーザにとってアクセス不可能であると判定する手段は、前記サブセットのメディアが前記第２の地理的場所において制限されているとして前記データベース内で示されていることを識別する手段を備える、項目２２に記載のシステム。
（項目２５）
前記複数のストリーミングメディアは、ストリーミングメディアプロバイダと関連付けられ、前記データベースは、前記ストリーミングメディアプロバイダから所与の地理的場所において利用可能なコンテンツを示し、前記複数のメディアのサブセットが前記第２の地理的場所において前記ユーザにとってアクセス不可能であると判定する手段は、前記サブセットのメディアが前記第２の地理的場所において利用不可能として前記データベース内で示されることを識別する手段を備える、項目２２に記載のシステム。
（項目２６）
前記サブセットの各メディアをダウンロードするための手段は、
前記ユーザが所有する前記ユーザと共に移動する複数のユーザ機器のうちの最も適切なユーザ機器を識別する手段と、
前記サブセットの各メディアを前記最も適切なユーザ機器にダウンロードする手段と
を備える、項目２２に記載のシステム。
（項目２７）
前記サブセットの各メディアをダウンロードする手段は、
設定に基づいて、前記サブセットの各メディアをダウンロードするために、前記ユーザが所有する複数のユーザ機器のうちの１つのユーザ機器を判定する手段と、
前記サブセットの各メディアを前記ユーザ機器にダウンロードする手段と
を備える、項目２２に記載のシステム。
（項目２８）
前記ユーザ機器は、前記サブセットの各メディアを記憶するのに十分な容量を有しておらず、前記システムは、前記プロファイルに示される好みに基づいて、記憶するための前記サブセットの部分を自動的に選択する手段をさらに備える、項目２７に記載のシステム。
（項目２９）
前記ユーザ機器は、前記サブセットの各メディアを記憶するのに十分な容量を有しておらず、前記システムはさらに、
前記ユーザ機器が前記サブセットの各メディアを記憶するのに十分な容量を有していないことを示す前記ユーザへのアラートを表示のために生成する手段と、
記憶するための前記サブセットの部分の選択を前記ユーザから受信する手段と、
前記選択を受信したことに応答して前記サブセットの部分をダウンロードする手段と
を備える、項目２７に記載のシステム。
（項目３０）
前記システムは、
前記サブセットが前記第２の地理的場所において前記ユーザにとってアクセス不可能であると判定したことに応答して、
前記複数のストリーミングメディアの各ストリーミングメディアに対応する個別のダウンロード可能ファイルが、ダウンロードするために利用可能である個別の場所を識別し、
前記ダウンロード可能ファイルが金銭の支払を伴わずに利用可能である場合、前記個別のダウンロード可能ファイルを自動的にダウンロードする
手段をさらに備える、項目２２に記載のシステム。
（項目３１）
個別のダウンロード可能ファイルが購入を要求するかどうかを判定する手段と、
前記個別のダウンロード可能ファイルが購入を要求すると判定したことに応答して、前記ユーザが前記個別のダウンロード可能ファイルの購入を認可するかどうかに関して前記ユーザに指示を求める手段と
をさらに備える、項目３０に記載のシステム。
（項目３２）
ユーザが旅行することを意図する地理的場所においてアクセス不可能である、プレイリストのストリーミングメディアのコピーを自動的にダウンロードする方法であって、
ユーザが第１の地理的場所から第２の地理的場所に旅行する予定であることを示す情報を制御回路を使用して検出することと、
前記検出に応答して、前記ユーザが消費するつもりである複数のストリーミングメディアを示す前記ユーザのプロファイルによって示されるプレイリストにアクセスすることと、
前記複数のストリーミングメディアの各ストリーミングメディアに対応するデータをデータベースと比較することにより、前記複数のストリーミングメディアの各ストリーミングメディアが前記ユーザにとって前記第２の地理的場所においてアクセス可能であるかどうかを判定することと、
前記複数のメディアのサブセットが前記第２の地理的場所において前記ユーザにとってアクセス不可能であると判定することと、
前記サブセットが前記第２の地理的場所において前記ユーザにとってアクセス不可能であると判定したことに応答して、前記サブセットの各メディアをダウンロードすることと、
を含む、方法。
（項目３３）
前記ユーザが前記第１の地理的場所から前記第２の地理的場所に旅行する予定であることを示す情報を判定することは、
前記ユーザに宛てられた電子通信を受信することと、
前記電子通信のコンテンツが旅行に言及していると判定することと、
前記プロファイルに基づいて前記第１のユーザの自宅住所を識別することと、
前記電子通信のコンテンツを解析することにより、前記自宅住所以外の住所を識別することと、
前記自宅住所以外の住所を識別したことに応答して前記第２の地理的場所を前記自宅住所以外の住所であると判定することと
を含む、項目３２に記載の方法。
（項目３４）
前記複数のストリーミングメディアは、ストリーミングメディアプロバイダと関連付けられ、前記データベースは、前記ストリーミングメディアプロバイダに対する地理的コンテンツ制限を示し、前記複数のメディアのサブセットが前記第２の地理的場所において前記ユーザにとってアクセス不可能であると判定することは、前記サブセットのメディアが前記第２の地理的場所において制限されているとして前記データベース内で示されていることを識別することを含む、項目３２または３３のいずれかに記載の方法。
（項目３５）
前記複数のストリーミングメディアは、ストリーミングメディアプロバイダと関連付けられ、前記データベースは、前記ストリーミングメディアプロバイダから所与の地理的場所において利用可能なコンテンツを示し、前記複数のメディアのサブセットが前記第２の地理的場所において前記ユーザにとってアクセス不可能であると判定することは、前記サブセットのメディアが前記第２の地理的場所において利用不可能として前記データベース内で示されていることを識別することを含む、項目３１〜３３のいずれかに記載の方法。
（項目３６）
前記サブセットの各メディアをダウンロードすることは、
前記ユーザが所有する前記ユーザと共に移動する複数のユーザ機器のうちの最も適切なユーザ機器を識別することと、
前記サブセットの各メディアを前記最も適切なユーザ機器にダウンロードすることと
を含む、項目３２〜３５のいずれかに記載の方法。
（項目３７）
前記サブセットの各メディアをダウンロードすることは、
設定に基づいて、前記サブセットの各メディアをダウンロードするために、前記ユーザが所有する複数のユーザ機器のうちの１つのユーザ機器を判定することと、
前記サブセットの各メディアを前記ユーザ機器にダウンロードすることと
を含む、項目３２〜３６のいずれかに記載の方法。
（項目３８）
前記ユーザ機器は、前記サブセットの各メディアを記憶するのに十分な容量を有しておらず、前記方法は、前記プロファイルに示される好みに基づいて、記憶するための前記サブセットの部分を自動的に選択することをさらに含む、項目３７に記載の方法。
（項目３９）
前記ユーザ機器は、前記サブセットの各メディアを記憶するのに十分な容量を有しておらず、前記方法は、
前記ユーザ機器が前記サブセットの各メディアを記憶するのに十分な容量を有していないことを示す前記ユーザへのアラートを表示のために生成することと、
記憶するための前記サブセットの部分の選択を前記ユーザから受信することと、
前記選択を受信したことに応答して前記サブセットの部分をダウンロードすることと
を含む、項目３７に記載の方法。
（項目４０）
前記方法は、前記サブセットが前記第２の地理的場所において前記ユーザにとってアクセス不可能であると判定したことにさらに応答して、
前記複数のストリーミングメディアの各ストリーミングメディアに対応する個別のダウンロード可能ファイルがダウンロードするために利用可能である個別の場所を識別し、
前記ダウンロード可能ファイルが金銭の支払を伴わずに利用可能である場合、前記個別のダウンロード可能ファイルを自動的にダウンロードする
ことをさらに含む、項目３２〜３９のいずれかに記載の方法。
（項目４１）
個別のダウンロード可能ファイルが購入を要求するかどうかを判定することと、
前記個別のダウンロード可能ファイルが購入を要求すると判定したことに応答して、前記ユーザが前記個別のダウンロード可能ファイルの購入を認可するかどうかに関して前記ユーザに指示を求めることと
をさらに含む、項目４０に記載の方法。
（項目４２）
メモリを備えた非一過性機械可読媒体であって、前記メモリには、ユーザが旅行するつもりである地理的場所においてアクセス不可能である、プレイリストのストリーミングメディアのコピーを自動的にダウンロードするための命令がエンコードされており、前記命令は、
ユーザが第１の地理的場所から第２の地理的場所に旅行する予定であることを示す情報を検出するための命令と、
前記検出に応答して、前記ユーザが消費するつもりである複数のストリーミングメディアを示す前記ユーザのプロファイルによって示される、プレイリストにアクセスするための命令と、
前記複数のストリーミングメディアの各ストリーミングメディアに対応するデータをデータベースと比較することにより、前記複数のストリーミングメディアの各ストリーミングメディアが前記ユーザにとって前記第２の地理的場所においてアクセス可能であるかどうかを判定するための命令と、
前記複数のメディアのサブセットが前記第２の地理的場所において前記ユーザにとってアクセス不可能であると判定するための命令と、
前記サブセットが前記第２の地理的場所において前記ユーザにとってアクセス不可能であると判定したことに応答して、前記サブセットの各メディアをダウンロードするための命令と
を備える、非一過性機械可読媒体。
（項目４３）
前記ユーザが前記第１の地理的場所から前記第２の地理的場所に旅行する予定であることを示す情報を判定するための命令は、
前記ユーザに宛てられた電子通信を受信するための命令と、
前記電子通信のコンテンツが旅行に言及していると判定するための命令と、
前記プロファイルに基づいて前記第１のユーザの自宅住所を識別するための命令と、
前記電子通信のコンテンツを解析することにより、前記自宅住所以外の住所を識別するための命令と、
前記自宅住所以外の住所を識別したことに応答して前記第２の地理的場所を前記自宅住所以外の住所であると判定するための命令と
を備える、項目４２に記載の非一過性機械可読媒体。
（項目４４）
前記複数のストリーミングメディアは、ストリーミングメディアプロバイダと関連付けられ、前記データベースは、前記ストリーミングメディアプロバイダに対する地理的コンテンツ制限を示し、前記複数のメディアのサブセットが前記第２の地理的場所において前記ユーザにとってアクセス不可能であると判定するための命令は、前記サブセットのメディアが前記第２の地理的場所において制限されているとして前記データベース内で示されることを識別するための命令を備える、項目４２に記載の非一過性機械可読媒体。
（項目４５）
前記複数のストリーミングメディアは、ストリーミングメディアプロバイダと関連付けられ、前記データベースは、前記ストリーミングメディアプロバイダから所与の地理的場所において利用可能なコンテンツを示し、前記複数のメディアのサブセットが前記第２の地理的場所において前記ユーザにとってアクセス不可能であると判定するための命令は、前記サブセットのメディアが前記第２の地理的場所において利用不可能として前記データベース内で示されていることを識別するための命令を備える、項目４２に記載の非一過性機械可読媒体。
（項目４６）
前記サブセットの各メディアをダウンロードするための命令は、
前記ユーザが所有する前記ユーザと共に移動する複数のユーザ機器のうちの最も適切なユーザ機器を識別するための命令と、
前記サブセットの各メディアを前記最も適切なユーザ機器にダウンロードするための命令と
を備える、項目４２に記載の非一過性機械可読媒体。
（項目４７）
前記サブセットの各メディアをダウンロードするための命令は、
設定に基づいて、前記サブセットの各メディアをダウンロードするために前記ユーザが所有する複数のユーザ機器のうちの１つのユーザ機器を判定するための命令と、
前記サブセットの各メディアを前記ユーザ機器にダウンロードするための命令と
を備える、項目４２に記載の非一過性機械可読媒体。
（項目４８）
前記ユーザ機器は、前記サブセットの各メディアを記憶するのに十分な容量を有しておらず、前記命令は、前記プロファイルに示される好みに基づいて、記憶するための前記サブセットの部分を自動的に選択するための命令をさらに備える、項目４７に記載の非一過性機械可読媒体。
（項目４９）
前記ユーザ機器は、前記サブセットの各メディアを記憶するのに十分な容量を有しておらず、前記命令は、
前記ユーザ機器が前記サブセットの各メディアを記憶するのに十分な容量を有していないことを示す前記ユーザへのアラートを表示のために生成するための命令と、
記憶するための前記サブセットの部分の選択を前記ユーザから受信するための命令と、
前記選択を受信したことに応答して前記サブセットの部分をダウンロードするための命令と
をさらに備える、項目４７に記載の非一過性機械可読媒体。
（項目５０）
前記命令は、前記サブセットが前記第２の地理的場所において前記ユーザにとってアクセス不可能であると判定したことに応答して、
前記複数のストリーミングメディアの各ストリーミングメディアに対応する個別のダウンロード可能ファイルがダウンロードするために利用可能な個別の場所を識別し、
前記ダウンロード可能ファイルが金銭の支払を伴わずに利用可能である場合、前記個別のダウンロード可能ファイルを自動的にダウンロードする
ための命令をさらに備える、項目４２に記載の非一過性機械可読媒体。
（項目５１）
前記命令は、
個別のダウンロード可能ファイルが購入を要求するかどうかを判定するための命令と、
前記個別のダウンロード可能ファイルが購入を要求すると判定したことに応答して、前記ユーザが前記個別のダウンロード可能ファイルの購入を認可するかどうかに関して前記ユーザに指示を求めるための命令と
をさらに備える、項目５０に記載の非一過性機械可読媒体。
【国際調査報告】
2019531609.tif 000011
2019531609.tif 000012
2019531609.tif 000013
2019531609.tif 000014
2019531609.tif 000015